(57)【要約】【課題】アクセス・クラス（ＡＣ）規制方法及び装置を提供すること。【解決手段】該方法は、端末に適用可能であり、以下を含む。非アクセス層（ＮＡＳ）トリガ・イベントと、アクセス層（ＡＳ）トリガ・イベントとが共存することを検出するステップ、並びにＮＡＳトリガ・イベント及び／又はＡＳトリガ・イベントに対して、ＡＣ規制を実行するステップ。したがって、本開示は、同時イベントについてのＡＣ規制を実施し、ＡＣ規制の適用範囲を拡大できる。【選択図】図１
2021525486.tif 000002
【特許請求の範囲】
【請求項１】
端末に適用可能な、アクセス制御（ＡＣ）規制方法であって、
非アクセス層（ＮＡＳ）トリガ・イベント及びアクセス層（ＡＳ）トリガ・イベントを検出するステップと、
該ＮＡＳトリガ・イベント及び／又は該ＡＳトリガ・イベントに対して、ＡＣ規制を実行するステップと
を含む、方法。
【請求項２】
前記ＡＳトリガ・イベントは、無線アクセス・ネットワーク（ＲＡＮ）ページングである、請求項１に記載の方法。
【請求項３】
前記ＮＡＳトリガ・イベント及び／又は前記ＡＳトリガ・イベントに対して、ＡＣ規制を実行するステップは、
前記ＮＡＳトリガ・イベント及び前記ＲＡＮページングの両方に対して、ＡＣ規制を実行するステップと、
ＡＣ規制が前記ＮＡＳトリガ・イベントに対して実行され、前記端末が接続状態に入ることを検出するのに応答して、前記ＲＡＮページングに対してＡＣ規制を実行するステップと、
前記ＲＡＮページングに対してだけＡＣ規制を実行するが、前記ＮＡＳトリガ・イベントに対しては実行しないステップと、
前記ＮＡＳトリガ・イベントに対してだけＡＣ規制を実行するが、前記ＲＡＮページングに対しては実行しないステップと
のうちの少なくとも１つを含む、請求項２に記載の方法。
【請求項４】
前記ＮＡＳトリガ・イベント及び前記ＲＡＮページングの両方に対して、ＡＣ規制を実行するステップは、
前記ＮＡＳトリガ・イベントがＡＣ規制を受けるという判断に応答して、前記ＲＡＮページングについて、前記ＲＡＮページングによってトリガされる再開プロセスを実行するステップと、
前記ＮＡＳトリガ・イベントについて、前記ＮＡＳトリガ・イベントに対応するＡＣ規制タイマを起動するステップと、
該ＡＣ規制タイマの満了を検出したことに応答して、前記ＮＡＳトリガ・イベントに対してＡＣ規制確認を実行するステップと
を含む、請求項３に記載の方法。
【請求項５】
前記ＡＣ規制タイマは、前記ＲＡＮページングが前記端末をトリガして、前記接続状態に入るか、又は非アクティブ状態であることに応答して、再起動されなくなる、請求項４に記載の方法。
【請求項６】
前記ＡＣ規制タイマは、前記ＲＡＮページングが前記端末をトリガして、前記接続状態に入るか、又は非アクティブ状態であることに応答して、再設定又は再起動される、請求項４に記載の方法。
【請求項７】
前記ＡＣ規制タイマの満了を検出したことに応答して、前記ＮＡＳトリガ・イベントに対してＡＣ規制確認を実行するステップは、
前記端末が非アクティブ状態にあるという判断に応答して、前記ＮＡＳトリガ・イベントに対して第１のＡＣ規制パラメータを用いてＡＣ規制確認を実行するステップであって、該第１のＡＣ規制パラメータは、前記端末が該非アクティブ状態において使用するよう設定されたパラメータである、ステップと、
前記端末が前記接続状態に入るという判断に応答して、該第１のＡＣ規制パラメータ又は第２のＡＣ規制パラメータを用いてＡＣ規制確認を実行するステップであって、該第２のＡＣ規制パラメータは、前記端末が前記接続状態において使用するよう設定されたパラメータである、ステップと
を含む、請求項４に記載の方法。
【請求項８】
前記第１のＡＣ規制パラメータ又は前記第２のＡＣ規制パラメータを用いてＡＣ規制確認を実行するステップは、
基地局から前記第２のＡＣ規制パラメータを受信することに応答して、前記第２のＡＣ規制パラメータを用いてＡＣ規制確認を実行するステップと、
該基地局から前記第２のＡＣ規制パラメータを受信しないことに応答して、前記第１のＡＣ規制パラメータを用いてＡＣ規制確認を実行するステップと
を含む、請求項７に記載の方法。
【請求項９】
前記第１のＡＣ規制パラメータ又は前記第２のＡＣ規制パラメータを用いてＡＣ規制確認を実行するステップは、
前記第２のＡＣ規制パラメータを使用するよう前記端末に指令する指示情報を基地局から受信することに応答して、該指示情報に基づいて前記第２のＡＣ規制パラメータを用いてＡＣ規制確認を実行するステップと、
該基地局から該指示情報を受信しないことに応答して、前記第１のＡＣ規制パラメータを用いてＡＣ規制確認を実行するステップと
を含む、請求項７に記載の方法。
【請求項１０】
前記ＮＡＳトリガ・イベント及び前記ＲＡＮページングの両方に対して、ＡＣ規制を実行するステップは、
前記ＮＡＳトリガ・イベントがＡＣ規制を受けないという判断に応答して、前記ＲＡＮページングについて、前記ＲＡＮページングによってトリガされる再開プロセスを実行するステップと、
前記ＮＡＳトリガ・イベントについて、ＮＡＳメッセージを前記ＲＡＮページングによってトリガされる指定メッセージに追加し、該指定メッセージを基地局に送信するステップと
を含む、請求項３に記載の方法。
【請求項１１】
前記指定メッセージは、
前記ＲＡＮページングによってトリガされる前記再開プロセス中の無線リソース制御（ＲＲＣ）メッセージであるか、又は
前記端末が前記ＲＡＮページングによってトリガされて前記接続状態に入るときの、前記端末からのアップリンク・メッセージである、
請求項１０に記載の方法。
【請求項１２】
ＡＣ規制が前記ＮＡＳトリガ・イベントに対して実行され、前記端末が前記接続状態に入ることを検出するのに応答して、前記ＲＡＮページングに対してＡＣ規制を実行するステップは、
前記ＮＡＳトリガ・イベントに対してＡＣ規制を実行することによって、ＡＣ規制確認結果を取得するステップと、
該ＡＣ規制確認結果が承認を示し、前記端末が前記接続状態に入るのを検出したことに応答して、前記ＲＡＮページングに対してＡＣ規制を実行することなく、前記ＲＡＮページングによってトリガされるデータ送信を前記接続状態で実行するステップと、
該ＡＣ規制確認結果が拒否を示したことに応答して、前記ＲＡＮページングに対してＡＣ規制を実行するステップであって、前記ＲＡＮページングによってトリガされる再開プロセス中のＲＲＣメッセージは、ＮＡＳメッセージを伝送できないように構成されるステップと
を含む、請求項３に記載の方法。
【請求項１３】
前記ＲＡＮページングに対してだけＡＣ規制を実行するが、前記ＮＡＳトリガ・イベントに対しては実行しないステップは、
前記ＲＡＮページングに対してＡＣ規制を実行することなく、前記ＲＡＮページングによってトリガされる再開プロセスを実行するステップであって、該再開プロセス中のＲＲＣメッセージは、ＮＡＳメッセージを伝送できるよう構成されるステップ
を含む、請求項３に記載の方法。
【請求項１４】
前記ＮＡＳトリガ・イベントに対してだけＡＣ規制を実行するが、前記ＲＡＮページングに対しては実行しないステップは、
前記ＮＡＳトリガ・イベントがＡＣ規制を受け、前記ＲＡＮページングによってトリガされる再開プロセスが実行されないことに応答して、ネットワークによって開始された解放又はやはり該ネットワークによって開始された他のＲＡＮページングに応答するステップ
を含む、請求項３に記載の方法。
【請求項１５】
前記ＮＡＳトリガ・イベントは、コア・ネットワーク（ＣＮ）ページングであり、前記ＮＡＳトリガ・イベント及び／又は前記ＡＳトリガ・イベントに対して、ＡＣ規制を実行するステップは、
該ＣＮページングに対してのみＡＣ規制を実行するステップ
を含む、請求項２に記載の方法。
【請求項１６】
端末に適用可能なＡＣ規制装置であって、該装置は、
ＮＡＳ及びＡＳによって同時にトリガされるイベントを検出するよう構成される、検出モジュールと、
該ＮＡＳトリガ・イベント及び／又は該ＡＳトリガ・イベントに対してＡＣ規制を実行するよう構成される、ＡＣ規制モジュールと
を備える、装置。
【請求項１７】
前記ＡＳトリガ・イベントは、ＲＡＮページングである、請求項１６に記載の装置。
【請求項１８】
前記ＡＣ規制モジュールは、
前記ＮＡＳトリガ・イベント及び前記ＲＡＮページングの両方に対してＡＣ規制を実行するよう構成される、第１のＡＣ規制サブモジュールと、
ＡＣ規制が前記ＮＡＳトリガ・イベントに対して実行され、前記端末が接続状態に入ることを検出するのに応答して、前記ＲＡＮページングに対してＡＣ規制を実行するよう構成される、第２のＡＣ規制サブモジュールと、
前記ＲＡＮページングに対してだけＡＣ規制を実行するが、前記ＮＡＳトリガ・イベントに対しては実行しないように構成される、第３のＡＣ規制サブモジュールと、
前記ＮＡＳトリガ・イベントに対してだけＡＣ規制を実行するが、前記ＲＡＮページングに対しては実行しないように構成される、第４のＡＣ規制サブモジュールと
のうちの少なくとも１つを備える、請求項１７に記載の装置。
【請求項１９】
前記第１のＡＣ規制サブモジュールは、
前記ＮＡＳトリガ・イベントがＡＣ規制を受けるという判断に応答して、前記ＲＡＮページングについて、前記ＲＡＮページングによってトリガされる再開プロセスを実行するよう構成される、第１の実行サブモジュールと、
前記ＮＡＳトリガ・イベントについて、前記ＮＡＳトリガ・イベントに対応するＡＣ規制タイマを起動するよう構成される、起動サブモジュールと、
該ＡＣ規制タイマの満了を検出したことに応答して、前記ＮＡＳトリガ・イベントに対してＡＣ規制確認を実行するよう構成される、第１の確認サブモジュールと
を備える、請求項１８に記載の装置。
【請求項２０】
前記ＡＣ規制タイマは、前記ＲＡＮページングが前記端末をトリガして、前記接続状態に入るか、又は非アクティブ状態であることに応答して、再起動されなくなる、請求項１９に記載の装置。
【請求項２１】
前記ＡＣ規制タイマは、前記ＲＡＮページングが前記端末をトリガして、前記接続状態に入るか、又は非アクティブ状態であることに応答して、再設定又は再起動される、請求項１９に記載の装置。
【請求項２２】
前記第１の確認サブモジュールは、
前記端末が非アクティブ状態にあるという判断に応答して、前記ＮＡＳトリガ・イベントに対して第１のＡＣ規制パラメータを用いてＡＣ規制確認を実行するよう構成される、第２の確認サブモジュールであって、該第１のＡＣ規制パラメータは、前記端末が該非アクティブ状態において使用するよう設定されたパラメータである、第２の確認サブモジュールと、
前記端末が前記接続状態に入るという判断に応答して、該第１のＡＣ規制パラメータ又は第２のＡＣ規制パラメータを用いてＡＣ規制確認を実行するよう構成される、第３の確認サブモジュールであって、該第２のＡＣ規制パラメータは、前記端末が前記接続状態において使用するよう設定されたパラメータである、第３の確認サブモジュールと
を備える、請求項１９に記載の装置。
【請求項２３】
前記第３の確認サブモジュールは、
基地局から前記第２のＡＣ規制パラメータを受信することに応答して、前記第２のＡＣ規制パラメータを用いてＡＣ規制確認を実行するよう構成される、第１の処理サブモジュールと、
該基地局から前記第２のＡＣ規制パラメータを受信しないことに応答して、前記第１のＡＣ規制パラメータを用いてＡＣ規制確認を実行するよう構成される、第２の処理サブモジュールと
を備える、請求項２２に記載の装置。
【請求項２４】
前記第３の確認サブモジュールは、
前記第２のＡＣ規制パラメータを使用するよう前記端末に指令する指示情報を基地局から受信することに応答して、該指示情報に基づいて前記第２のＡＣ規制パラメータを用いてＡＣ規制確認を実行するよう構成される、第３の処理サブモジュールと、
該基地局から該指示情報を受信しないことに応答して、前記第１のＡＣ規制パラメータを用いてＡＣ規制確認を実行するよう構成される、第４の処理サブモジュールと
を備える、請求項２２に記載の装置。
【請求項２５】
前記第１のＡＣ規制サブモジュールは、
前記ＮＡＳトリガ・イベントがＡＣ規制を受けないという判断に応答して、前記ＲＡＮページングについて、前記ＲＡＮページングによってトリガされる再開プロセスを実行するよう構成される、第２の実行サブモジュールと、
前記ＮＡＳトリガ・イベントについて、ＮＡＳメッセージを前記ＲＡＮページングによってトリガされる指定メッセージに追加し、該指定メッセージを基地局に送信するよう構成される追加サブモジュールと
を備える、請求項１８に記載の装置。
【請求項２６】
前記指定メッセージは、前記ＲＡＮページングによってトリガされる前記再開プロセス中のＲＲＣメッセージ、又は前記端末が前記ＲＡＮページングによってトリガされて前記接続状態に入るときの、前記端末からのアップリンク・メッセージである、請求項２５に記載の装置。
【請求項２７】
前記第２のＡＣ規制サブモジュールは、
前記ＮＡＳトリガ・イベントに対してＡＣ規制を実行することによって、ＡＣ規制確認結果を取得するよう構成される、確認結果判断サブモジュールと、
該ＡＣ規制確認結果が承認を示し、前記端末が前記接続状態に入るのを検出したことに応答して、前記ＲＡＮページングに対してＡＣ規制を実行することなく、前記ＲＡＮページングによってトリガされるデータ送信を前記接続状態で実行するよう構成される、第５の処理サブモジュールと、
該ＡＣ規制確認結果が拒否を示したことに応答して、前記ＲＡＮページングに対してＡＣ規制を実行するよう構成される第６の処理サブモジュールであって、前記ＲＡＮページングによってトリガされる再開プロセス中のＲＲＣメッセージは、ＮＡＳメッセージを伝送できないように構成される、第６の処理サブモジュールと
を備える、請求項１８に記載の装置。
【請求項２８】
前記第３のＡＣ規制サブモジュールは、
前記ＲＡＮページングに対してＡＣ規制を実行することなく、前記ＲＡＮページングによってトリガされる再開プロセスを実行するよう構成される、第７の処理サブモジュールであって、該再開プロセス中のＲＲＣメッセージは、ＮＡＳメッセージを伝送できるよう構成される、第７の処理サブモジュール
を備える、請求項１８に記載の装置。
【請求項２９】
前記第４のＡＣ規制サブモジュールは、
前記ＮＡＳトリガ・イベントがＡＣ規制を受け、前記ＲＡＮページングによってトリガされる再開プロセスが実行されないことに応答して、ネットワークによって開始された解放又はやはり該ネットワークによって開始された他のＲＡＮページングに応答するよう構成される、第８の処理サブモジュール
を備える、請求項１８に記載の装置。
【請求項３０】
前記ＮＡＳトリガ・イベントは、ＣＮページングであり、前記ＡＣ規制モジュールは、
該ＣＮページングに対してだけＡＣ規制を実行するよう構成される、第５のＡＣ規制サブモジュール
を備える、請求項１７に記載の装置。
【請求項３１】
コンピュータ命令をその上に格納する非一時的コンピュータ可読記憶媒体であって、前記コンピュータ命令は、請求項１から１５までのいずれか一項に記載の前記ＡＣ規制方法を実行するよう構成される、非一時的コンピュータ可読記憶媒体。
【請求項３２】
端末に適用可能なＡＣ規制装置であって、該装置は、
非アクセス層（ＮＡＳ）トリガ・イベント、及びアクセス層（ＡＳ）トリガ・イベントが共存することを検出する機能と、
該ＮＡＳトリガ・イベント及び／又は該ＡＳトリガ・イベントに対して、ＡＣ規制を実行する機能と
を有する、装置。
【発明の詳細な説明】
【技術分野】
【０００１】
本開示は、通信技術の分野、詳細には、アクセス・クラス（ＡＣ：ａｃｃｅｓｓ  ｃｌａｓｓ）規制方法及び装置に関する。
【背景技術】
【０００２】
ロングターム・エボリューション（ＬＴＥ：ｌｏｎｇ−ｔｅｒｍ  ｅｖｏｌｕｔｉｏｎ）通信システムにおいて、ＡＣ規制動作の仕組みは、端末のアクセス・クラス及び端末から開始される呼種にしたがって、対応するＡＣ規制パラメータが取得され、それに応じてＡＣ規制確認が実行される。
【０００３】
新無線（ＮＲ：ｎｅｗ  ｒａｄｉｏ）通信システムにおいて、ＡＣ規制の統一された仕組みが導入される。さらに、統一されたＡＣ規制の仕組みは、アイドル状態又は非アクティブ状態の端末に適用でき、また接続状態の端末にも適用できる。
【発明の概要】
【発明が解決しようとする課題】
【０００４】
しかし、ＮＲ通信システムでは、端末の非アクセス層（ＮＡＳ：ｎｏｎ−ａｃｃｅｓｓ  ｓｔｒａｔｕｍ）によってトリガされるイベントと、端末のアクセス層（ＡＳ：ａｃｃｅｓｓ  ｓｔｒａｔｕｍ）によってトリガされるイベントとが共存でき、該イベントは、同時イベントと呼ばれることがあるが、同時イベントに対してＡＣ規制を実行する技術的な解決策はない。
【課題を解決するための手段】
【０００５】
関連技術分野における上記の問題を克服するために、本開示の実施形態は、ＡＣ規制方法及び装置を提供する。
【０００６】
本開示の実施形態の第１の態様によれば、ＡＣ規制方法が提供され、該方法は、基地局に適用可能であり、以下を含む。
非アクセス層（ＮＡＳ）トリガ・イベントと、アクセス層（ＡＳ）トリガ・イベントとが共存することを検出するステップ、並びに
ＮＡＳトリガ・イベント及び／又はＡＳトリガ・イベントに対して、ＡＣ規制を実行するステップ。
【０００７】
任意選択で、ＡＳトリガ・イベントは、無線アクセス・ネットワーク（ＲＡＮ：ｒａｄｉｏ  ａｃｃｅｓｓ  ｎｅｔｗｏｒｋ）ページングである。
【０００８】
任意選択で、ＮＡＳトリガ・イベント及び／又はＡＳトリガ・イベントに対してＡＣ規制を実行するステップは、以下のうちの少なくとも１つを含む。
ＮＡＳトリガ・イベント及びＲＡＮページングの両方に対して、ＡＣ規制を実行するステップ、
ＡＣ規制がＮＡＳトリガ・イベントに対して実行され、端末が接続状態に入ることを検出するのに応答して、ＲＡＮページングに対してＡＣ規制を実行するステップ、
ＲＡＮページングに対してだけＡＣ規制を実行するが、ＮＡＳトリガ・イベントに対しては実行しないステップ、並びに
ＮＡＳトリガ・イベントに対してだけＡＣ規制を実行するが、ＲＡＮページングに対しては実行しないステップ。
【０００９】
任意選択で、ＮＡＳトリガ・イベント及びＲＡＮページングの両方に対して、ＡＣ規制を実行するステップは、以下を含む。
ＮＡＳトリガ・イベントがＡＣ規制を受けるという判断に応答して、ＲＡＮページングについて、ＲＡＮページングによってトリガされる再開プロセスを実行するステップ、
ＮＡＳトリガ・イベントについて、ＮＡＳトリガ・イベントに対応するＡＣ規制タイマを起動するステップ、及び
ＡＣ規制タイマの満了を検出したことに応答して、ＮＡＳトリガ・イベントに対してＡＣ規制確認を実行するステップ。
【００１０】
任意選択で、ＡＣ規制タイマは、ＲＡＮページングが端末をトリガして、接続状態に入った後、又は非アクティブ状態であると、再起動されなくなる。
【００１１】
任意選択で、ＡＣ規制タイマは、ＲＡＮページングが端末をトリガして、接続状態に入った後、又は非アクティブ状態であると、再設定又は再起動される。
【００１２】
任意選択で、ＡＣ規制タイマの満了を検出したことに応答して、ＮＡＳトリガ・イベントに対してＡＣ規制確認を実行するステップは、以下を含む。
端末が非アクティブ状態にあるという判断に応答して、ＮＡＳトリガ・イベントに対して第１のＡＣ規制パラメータを用いてＡＣ規制確認を実行するステップであって、第１のＡＣ規制パラメータは、端末が非アクティブ状態において使用するよう設定されたパラメータである、ステップ、及び
端末が接続状態に入るという判断に応答して、第１のＡＣ規制パラメータ又は第２のＡＣ規制パラメータを用いてＡＣ規制確認を実行するステップであって、第２のＡＣ規制パラメータは、端末が接続状態において使用するよう設定されたパラメータである、ステップ。
【００１３】
任意選択で、第１のＡＣ規制パラメータ又は第２のＡＣ規制パラメータを用いてＡＣ規制確認を実行するステップは、以下を含む。
基地局から第２のＡＣ規制パラメータを受信することに応答して、第２のＡＣ規制パラメータを用いてＡＣ規制確認を実行するステップ、及び
基地局から第２のＡＣ規制パラメータを受信しないことに応答して、第１のＡＣ規制パラメータを用いてＡＣ規制確認を実行するステップ。
【００１４】
任意選択で、第１のＡＣ規制パラメータ又は第２のＡＣ規制パラメータを用いてＡＣ規制確認を実行するステップは、以下を含む。
第２のＡＣ規制パラメータを使用するよう端末に指令する指示情報を基地局から受信することに応答して、指示情報に基づいて第２のＡＣ規制パラメータを用いてＡＣ規制確認を実行するステップ、及び
基地局から該指示情報を受信しないことに応答して、第１のＡＣ規制パラメータを用いてＡＣ規制確認を実行するステップ。
【００１５】
任意選択で、ＮＡＳトリガ・イベント及びＲＡＮページングの両方に対して、ＡＣ規制を実行するステップは、以下を含む。
ＮＡＳトリガ・イベントがＡＣ規制を受けないという判断に応答して、ＲＡＮページングについて、ＲＡＮページングによってトリガされる再開プロセスを実行するステップ、並びに
ＮＡＳトリガ・イベントについて、ＮＡＳメッセージをＲＡＮページングによってトリガされる指定メッセージに追加し、及び該指定メッセージを基地局に送信するステップ。
【００１６】
任意選択で、指定メッセージは、ＲＡＮページングによってトリガされる再開プロセス中の無線リソース制御（ＲＲＣ：ｒａｄｉｏ  ｒｅｓｏｕｒｃｅ  ｃｏｎｔｒｏｌ）メッセージ、又は端末がＲＡＮページングによってトリガされて接続状態に入るときの、端末からのアップリンク・メッセージである。
【００１７】
任意選択で、ＡＣ規制がＮＡＳトリガ・イベントに対して実行され、端末が接続状態に入ることを検出するのに応答して、ＲＡＮページングに対してＡＣ規制を実行するステップは、以下を含む。
ＮＡＳトリガ・イベントに対してＡＣ規制を実行することによって、ＡＣ規制確認結果を取得するステップ、
ＡＣ規制確認結果が承認を示し、端末が接続状態に入るのを検出したことに応答して、ＲＡＮページングによってトリガされるデータ送信を、ＲＡＮページングに対してＡＣ規制を実行することなく、接続状態で実行するステップ、及び
ＡＣ規制確認結果が拒否を示したことに応答して、ＲＡＮページングに対してＡＣ規制を実行するステップであって、ＲＡＮページングによってトリガされる再開プロセス中のＲＲＣメッセージは、ＮＡＳメッセージを伝送できないように構成される、ステップ。
【００１８】
任意選択で、ＲＡＮページングに対してだけＡＣ規制を実行するが、ＮＡＳトリガ・イベントに対しては実行しないステップは、以下を含む。
ＲＡＮページングに対してＡＣ規制を実行することなく、ＲＡＮページングによってトリガされる再開プロセスを実行するステップであって、再開プロセス中のＲＲＣメッセージは、ＮＡＳメッセージを伝送できるよう構成される、ステップ。
【００１９】
任意選択で、ＮＡＳトリガ・イベントに対してだけＡＣ規制を実行するが、ＲＡＮページングに対しては実行しないステップは、以下を含む。
ＮＡＳトリガ・イベントがＡＣ規制を受け、ＲＡＮページングによってトリガされる再開プロセスが実行されないことに応答して、ネットワークによって開始された解放（ｒｅｌｅａｓｅ）又はやはりネットワークによって開始された他のＲＡＮページングに応答するステップ。
【００２０】
任意選択で、ＮＡＳトリガ・イベントは、コア・ネットワーク（ＣＮ：ｃｏｒｅ  ｎｅｔｗｏｒｋ）ページングであり、ＮＡＳトリガ・イベント及び／又はＡＳトリガ・イベントに対して、ＡＣ規制を実行するステップは、以下を含む。
ＣＮページングに対してのみＡＣ規制を実行するステップ。
【００２１】
本開示の実施形態の第２の態様によれば、ＡＣ規制装置が提供され、該装置は、端末に適用可能であり、以下を備える。
ＮＡＳ及びＡＳによって同時にトリガされるイベントを検出するよう構成される、検出モジュール、並びに
ＮＡＳトリガ・イベント及び／又はＡＳトリガ・イベントに対してＡＣ規制を実行するよう構成される、ＡＣ規制モジュール。
【００２２】
任意選択で、ＡＳトリガ・イベントは、ＲＡＮページングである、
【００２３】
任意選択で、ＡＣ規制モジュールは、以下のうちの少なくとも１つを備える。
ＮＡＳトリガ・イベント及びＲＡＮページングの両方に対してＡＣ規制を実行するよう構成される、第１のＡＣ規制サブモジュール、
ＡＣ規制がＮＡＳトリガ・イベントに対して実行され、端末が接続状態に入ることを検出するのに応答して、ＲＡＮページングに対してＡＣ規制を実行するよう構成される第２のＡＣ規制サブモジュール、
ＲＡＮページングに対してだけＡＣ規制を実行するが、ＮＡＳトリガ・イベントに対しては実行しないように構成される、第３のＡＣ規制サブモジュール、並びに
ＮＡＳトリガ・イベントに対してだけＡＣ規制を実行するが、ＲＡＮページングに対しては実行しないように構成される、第４のＡＣ規制サブモジュール。
【００２４】
任意選択で、第１のＡＣ規制サブモジュールは、以下を備える。
ＮＡＳトリガ・イベントがＡＣ規制を受けるという判断に応答して、ＲＡＮページングについて、ＲＡＮページングによってトリガされる再開プロセスを実行するよう構成される、第１の実行サブモジュール、
ＮＡＳトリガ・イベントについて、ＮＡＳトリガ・イベントに対応するＡＣ規制タイマを起動するよう構成される、起動サブモジュール、及び
ＡＣ規制タイマの満了を検出したことに応答して、ＮＡＳトリガ・イベントに対してＡＣ規制確認を実行するよう構成される、第１の確認サブモジュール。
【００２５】
任意選択で、ＡＣ規制タイマは、ＲＡＮページングが端末をトリガして、接続状態に入った後、又は非アクティブ状態であると、再起動されなくなる。
【００２６】
任意選択で、ＡＣ規制タイマは、ＲＡＮページングが端末をトリガして、接続状態に入った後、又は非アクティブ状態であると、再設定又は再起動される。
【００２７】
任意選択で、第１の確認サブモジュールは、以下を備える。
端末が非アクティブ状態にあるという判断に応答して、ＮＡＳトリガ・イベントに対して第１のＡＣ規制パラメータを用いてＡＣ規制確認を実行するよう構成される、第２の確認サブモジュールであって、第１のＡＣ規制パラメータは、端末が非アクティブ状態において使用するよう設定されたパラメータである、第２の確認サブモジュール、及び
端末が接続状態に入るという判断に応答して、第１のＡＣ規制パラメータ又は第２のＡＣ規制パラメータを用いてＡＣ規制確認を実行するよう構成される、第３の確認サブモジュールであって、第２のＡＣ規制パラメータは、端末が接続状態において使用するよう設定されたパラメータである、第３の確認サブモジュール。
【００２８】
任意選択で、第３の確認サブモジュールは、以下を備える。
基地局から第２のＡＣ規制パラメータを受信することに応答して、第２のＡＣ規制パラメータを用いてＡＣ規制確認を実行するよう構成される、第１の処理サブモジュール、及び
基地局から第２のＡＣ規制パラメータを受信しないことに応答して、第１のＡＣ規制パラメータを用いてＡＣ規制確認を実行するよう構成される、第２の処理サブモジュール。
【００２９】
任意選択で、第３の確認サブモジュールは、以下を備える。
第２のＡＣ規制パラメータを使用するよう端末に指令する指示情報を基地局から受信することに応答して、指示情報に基づいて第２のＡＣ規制パラメータを用いてＡＣ規制確認を実行するよう構成される、第３の処理サブモジュール、及び
基地局から該指示情報を受信しないことに応答して、第１のＡＣ規制パラメータを用いてＡＣ規制確認を実行するよう構成される、第４の処理サブモジュール。
【００３０】
任意選択で、第１のＡＣ規制サブモジュールは、以下を備える。
ＮＡＳトリガ・イベントがＡＣ規制を受けないという判断に応答して、ＲＡＮページングについて、ＲＡＮページングによってトリガされる再開プロセスを実行するよう構成される、第２の実行サブモジュール、及び
ＮＡＳトリガ・イベントについて、ＮＡＳメッセージをＲＡＮページングによってトリガされる指定メッセージに追加し、該指定メッセージを基地局に送信するよう構成される、追加サブモジュール。
【００３１】
任意選択で、指定メッセージは、ＲＡＮページングによってトリガされる再開プロセス中のＲＲＣメッセージ、又は端末がＲＡＮページングによってトリガされて接続状態に入るときの、端末からのアップリンク・メッセージである。
【００３２】
任意選択で、第２のＡＣ規制サブモジュールは、以下を備える。
ＮＡＳトリガ・イベントに対してＡＣ規制を実行することによって、ＡＣ規制確認結果を取得するよう構成される、確認結果判断サブモジュール、
ＡＣ規制確認結果が承認を示し、端末が接続状態に入るのを検出したことに応答して、ＲＡＮページングに対してＡＣ規制を実行することなく、ＲＡＮページングによってトリガされるデータ送信を接続状態で実行するよう構成される、第５の処理サブモジュール、及び
ＡＣ規制確認結果が拒否を示したことに応答して、ＲＡＮページングに対してＡＣ規制を実行するよう構成される第６の処理サブモジュールであって、ＲＡＮページングによってトリガされる再開プロセス中のＲＲＣメッセージは、ＮＡＳメッセージを伝送できないように構成される、第６の処理サブモジュール。
【００３３】
任意選択で、第３のＡＣ規制サブモジュールは、以下を備える。
ＲＡＮページングに対してＡＣ規制を実行することなく、ＲＡＮページングによってトリガされる再開プロセスを実行するよう構成される第７の処理サブモジュールであって、再開プロセス中のＲＲＣメッセージは、ＮＡＳメッセージを伝送できるよう構成される、第７の処理サブモジュール。
【００３４】
任意選択で、第４のＡＣ規制サブモジュールは、以下を備える。
ＮＡＳトリガ・イベントがＡＣ規制を受け、ＲＡＮページングによってトリガされる再開プロセスが実行されないことに応答して、ネットワークによって開始された解放又はやはりネットワークによって開始された他のＲＡＮページングに応答するよう構成される、第８の処理サブモジュール。
【００３５】
任意選択で、ＮＡＳトリガ・イベントは、ＣＮページングであり、ＡＣ規制モジュールは、以下を備える。
ＣＮページングに対してだけＡＣ規制を実行するよう構成される、第５のＡＣ規制サブモジュール。
【００３６】
本開示の実施形態の第３の態様によれば、コンピュータ・プログラムを格納する非一時的コンピュータ可読記憶媒体が提供され、コンピュータ・プログラムは、第１の態様に基づくＡＣ規制方法を実行するよう構成される。
【００３７】
本開示の実施形態の第４の態様によれば、ＡＣ規制装置が提供される。該装置は、端末に適用可能であり、以下を備える。
プロセッサによって実行可能な命令を、格納するためのメモリ。
ここで、プロセッサは、以下のように構成される。
ＮＡＳ及びＡＳによって同時にトリガされるイベントを検出し、
ＮＡＳトリガ・イベント及び／又はＡＳトリガ・イベントに対して、ＡＣ規制を実行する。
【００３８】
本開示の例によって提供される技術的解決策は、以下の有益な効果をもたらし得る。
【００３９】
本開示による端末が、端末内でＮＡＳ及びＡＳによって同時にトリガされるイベントを検出すると、端末は、ＮＡＳトリガ・イベント及び／又はＡＳトリガ・イベントに対してＡＣ規制を実行し、それにより、同時イベントに対するＡＣ規制を実施し、ＡＣ規制の適用範囲を広げることができる。
【００４０】
上記の概括的な説明及び以下の詳細な説明は、例示的且つ説明的なものでしかなく、本開示を限定しないことを理解されたい。
【００４１】
本開示に組み入れられ、本開示の一部を構成する添付図面は、本開示と一貫する例を示し、説明と共に本開示の原理を説明するよう機能する。
【図面の簡単な説明】
【００４２】
【図１】本開示の例による、ＡＣ規制方法を示すフローチャートである。
【図２】本開示のいくつかの実施形態による、ＡＣ規制方法を示す適用場面の図である。
【図３】本開示のいくつかの実施形態による、別のＡＣ規制方法を示すフローチャートである。
【図４】本開示のいくつかの実施形態による、別のＡＣ規制方法を示すフローチャートである。
【図５】本開示のいくつかの実施形態による、別のＡＣ規制方法を示すフローチャートである。
【図６】本開示のいくつかの実施形態による、別のＡＣ規制方法を示すフローチャートである。
【図７】本開示のいくつかの実施形態による、別のＡＣ規制方法を示すフローチャートである。
【図８】本開示のいくつかの実施形態による、別のＡＣ規制方法を示すフローチャートである。
【図９】本開示のいくつかの実施形態による、別のＡＣ規制方法を示すフローチャートである。
【図１０】本開示のいくつかの実施形態による、ＡＣ規制装置を示すブロック図である。
【図１１】本開示のいくつかの実施形態による、別のＡＣ規制装置を示すブロック図である。
【図１２】本開示のいくつかの実施形態による、別のＡＣ規制装置を示すブロック図である。
【図１３】本開示のいくつかの実施形態による、別のＡＣ規制装置を示すブロック図である。
【図１４】本開示のいくつかの実施形態による、別のＡＣ規制装置を示すブロック図である。
【図１５】本開示のいくつかの実施形態による、別のＡＣ規制装置を示すブロック図である。
【図１６】本開示のいくつかの実施形態による、別のＡＣ規制装置を示すブロック図である。
【図１７】本開示のいくつかの実施形態による、別のＡＣ規制装置を示すブロック図である。
【図１８】本開示のいくつかの実施形態による、別のＡＣ規制装置を示すブロック図である。
【図１９】本開示のいくつかの実施形態による、別のＡＣ規制装置を示すブロック図である。
【図２０】本開示のいくつかの実施形態による、別のＡＣ規制装置を示すブロック図である。
【図２１】本開示のいくつかの実施形態による、ＡＣ規制装置を示す構造概略図である。
【発明を実施するための形態】
【００４３】
ここで実施形態を、図面に表現したその例と共に、詳細に説明することにする。以下の説明が図面を含む場合、相異なる図面の同様の数字は、別段の指示がない限り、同様又は類似の要素を指す。以下の例に記載の実施形態は、本開示と一貫するすべての実施形態を表すものではない。それどころか、以下の実施形態は、添付の請求の範囲に詳述される、本開示のいくつかの態様と一貫する装置及び方法の単なる例にすぎない。
【００４４】
本開示で使用される用語は、特定の例を説明することだけを目的としており、本開示を限定することを意図するものではない。この開示及び添付の請求の範囲で使用されるとき、単数形「ａ」、「ａｎ」、及び「ｔｈｅ」は、文脈上明らかにそうでないと示していない限り、複数形も同様に含むことを意図する。本明細書で使用されるとき、用語「及び／又は」は、関連する列挙されたアイテムの１つ又は複数のありとあらゆる可能な組合せを指し、それらを含むことも理解されたい。
【００４５】
用語「第１の」、「第２の」、「第３の」などは、本明細書では様々な情報を説明するために使用され得るが、情報は、こうした用語によって限定されるべきではないことが理解されよう。こうした用語は、あるカテゴリの情報を別のカテゴリの情報と区別するためにしか使用されない。たとえば、本開示の範囲から逸脱することなく、第１の情報は第２の情報と呼ばれることがあり、同様に、第２の情報は第１の情報と呼ばれることもある。本明細書で使用されるとき、用語「もし（ｉｆ）」は、文脈に応じて、「〜すると（ｗｈｅｎ）」、「〜すると（ｕｐｏｎ）」、又は「〜と判断したことに応答して（ｉｎ  ｒｅｓｐｏｎｓｅ  ｔｏ  ｄｅｔｅｒｍｉｎｉｎｇ）」と解釈され得る。
【００４６】
図１は、本開示によるＡＣ規制方法を示すフローチャートであり、図２は、本開示によるＡＣ規制方法を示す適用場面である。ＡＣ規制方法は、端末に適用可能である。図１に示されるように、ＡＣ規制方法は、以下のステップ１１０〜１２０を含み得る。
【００４７】
ステップ１１０において、ＮＡＳ及びＡＳによって同時にトリガされるイベントが検出される。
【００４８】
本開示の実施形態では、ＮＡＳトリガ・イベントは、非アクティブ状態の端末のＮＡＳによってトリガされるイベントであり得る。たとえば、ＮＡＳトリガ・イベントは、コア・ネットワーク（ＣＮ）ページングである。ＡＳトリガ・イベントは、非アクティブ状態の端末のＡＳによってトリガされるイベントであり得る。たとえば、ＡＳトリガ・イベントは、無線アクセス・ネットワーク（ＲＡＮ）ページングである。
【００４９】
ステップ１２０において、ＡＣ規制は、ＮＡＳトリガ・イベント及び／又はＡＳトリガ・イベントに対して実行される。
【００５０】
本開示の実施形態では、ＡＣ規制は、ＮＡＳトリガ・イベント及びＡＳトリガ・イベントの両方に対して実行できるか、又はＡＣ規制は、ＮＡＳトリガ・イベント及びＡＳトリガ・イベントのうちの一方に対してだけ実行できる。
【００５１】
いくつかの実施形態では、ＡＳトリガ・イベントは、ＲＡＮページングであり、ステップ１２０が以下を含むがそれらに限定されない形で、ステップ１２０は実行され得る。
（１−１）ＮＡＳトリガ・イベント及びＲＡＮページングの両方に対して、ＡＣ規制を実行するステップ、
（１−２）ＮＡＳトリガ・イベントに対してＡＣ規制が実行され、端末が接続状態に入ることが検出された後に、ＲＡＮページングに対してＡＣ規制を実行するステップ、
（１−３）ＲＡＮページングに対してＡＣ規制を実行するが、ＮＡＳトリガ・イベントに対して実行しないステップ、又は
（１−４）ＲＡＮページングに対してだけＡＣ規制を実行するが、ＮＡＳトリガ・イベントに対しては実行しないステップ。
【００５２】
図２に示される適用場面は、端末及び基地局を含む。ＮＡＳ及びＡＳによって同時にトリガされるイベントの検出に応答して、端末は、ＮＡＳトリガ・イベント及び／又はＡＳトリガ・イベントに対してＡＣ規制を実行できる。特に、ＡＳトリガ・イベントがＲＡＮページングである場合、すなわち、端末のＡＳが基地局に再開要求を送信する必要がある場合、端末が、ＮＡＳトリガ・イベント及びＲＡＮページングの両方に対してＡＣ規制を実行できるか、ＮＡＳトリガ・イベントに対してＡＣ規制が実行され、端末が接続状態に入ることが検出された後、端末がＲＡＮページングに対してＡＣ規制を実行できるか、端末がＲＡＮページングに対してだけＡＣ規制を実行できるが、ＮＡＳトリガ・イベントに対して実行できないか、又は端末がＲＡＮページングに対してだけＡＣ規制を実行できるが、ＮＡＳトリガ・イベントに対して実行できない。
【００５３】
上記の実施形態から、ＮＡＳ及びＡＳによって同時にトリガされるイベントが検出されると、ＮＡＳトリガ・イベント及び／又はＡＳトリガ・イベントに対してＡＣ規制を実行し、それにより、同時イベントに対するＡＣ規制を実施し、ＡＣ規制の適用範囲を広げ得ることがわかる。
【００５４】
図３は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＮＡＳトリガ・イベント及びＲＡＮページングの両方に対してＡＣ規制を実行する場合、図３に示されるように、以下のステップ３１０〜３３０が含まれ得る。
【００５５】
ステップ３１０において、ＮＡＳトリガ・イベントがＡＣ規制を受けるという判断に応答して、ＲＡＮページングについて、ＲＡＮページングによってトリガされる再開プロセスが実行される。
【００５６】
本開示の実施形態では、ＮＡＳトリガ・イベントがＡＣ規制を受けるという判断に応答して、端末は、ＲＡＮページングへの応答でしかネットワークにアクセスできず、ネットワーク・アクセス処理中は、ＮＡＳメッセージは無線リソース制御（ＲＲＣ）メッセージ内で伝送されない。ＲＲＣメッセージは、ＲＲＣ接続再開完了メッセージ、すなわちメッセージ５（ｍｓｇ５）であり得る。
【００５７】
ステップ３２０において、ＮＡＳトリガ・イベントについて、ＮＡＳトリガ・イベントに対応するＡＣ規制タイマが起動される。
【００５８】
本開示の実施形態では、ＡＣ規制タイマは、基地局によって設定され得るか、端末及び基地局で事前に交渉され得るか、又は通信プロトコルに基づいて決定され得る。
【００５９】
ステップ３３０において、ＡＣ規制タイマの満了を検出したことに応答して、ＡＣ規制確認が、ＮＡＳトリガ・イベントに対して実行される。
【００６０】
本開示の実施形態では、ＡＣ規制タイマは、ＮＡＳトリガ・イベントに対して起動されるので、ＡＣ規制タイマの満了後に、ＡＣ規制確認は、やはりＮＡＳトリガ・イベントに対してのみ実行され得る。
【００６１】
いくつかの実施形態では、ＡＣ規制タイマは、ＲＡＮページングが端末をトリガして接続状態に入るか、又は非アクティブ状態であることに応答して、再起動されなくなる。
【００６２】
いくつかの実施形態では、ＡＣ規制タイマは、ＲＡＮページングが端末をトリガして接続状態に入るか、又は非アクティブ状態であることに応答して、再設定又は再起動される。ここで、ＡＣ規制タイマを再設定することは、ＡＣ規制タイマを最初の値に設定することであるが、ＡＣ規制タイマを動作させない。
【００６３】
上記の実施形態から、ＮＡＳトリガ・イベント及びＲＡＮページングの両方に対してＡＣ規制を実行するために、ＮＡＳトリガ・イベントがＡＣ規制を受けるという判断に応答して、ＲＡＮページングについて、ＲＡＮページングによってトリガされる再開プロセスを実行でき、ＮＡＳトリガ・イベントに対して、ＮＡＳトリガ・イベントに対応するＡＣ規制タイマを起動でき、且つＡＣ規制タイマの満了を検出するのに応答して、ＮＡＳトリガ・イベントに対してＡＣ規制確認が実行されることがわかる。このようにして、同時イベントをすべて処理でき、ＡＣ規制の信頼性が向上する。
【００６４】
図４は、本開示のいくつかの実施形態による、別のＡＣ規制方法を示すフローチャートである。ＡＣ規制方法は、端末に適用可能であり、図３に示される方法に基づいてステップ３３０を実行する場合、図４に示されるように、以下のステップ４１０〜４２０が含まれ得る。
【００６５】
ステップ４１０において、端末が非アクティブ状態にあるという判断に応答して、ＡＣ規制確認が、ＮＡＳトリガ・イベントに対して、第１のＡＣ規制パラメータを用いて実行される。第１のＡＣ規制パラメータは、端末が非アクティブ状態において使用するよう設定されたパラメータである。
【００６６】
本開示の実施形態では、第１のＡＣ規制パラメータは、基地局によって設定され得るか、端末及び基地局で事前に交渉され得るか、又は通信プロトコルに基づいて決定され得る。
【００６７】
端末が依然として非アクティブ状態にある場合、ＡＣ規制確認は、端末が非アクティブ状態で使用するよう設定された、ＮＡＳトリガ・イベントに対応する第１のＡＣ規制パラメータを用いて継続され得る。
【００６８】
ステップ４２０において、端末が接続状態に入るという判断に応答して、ＡＣ規制確認は、第１のＡＣ規制パラメータ又は第２のＡＣ規制パラメータを用いて実行される。第２のＡＣ規制パラメータは、端末が接続状態において使用するよう設定されたパラメータである。
【００６９】
本開示の実施形態では、第２のＡＣ規制パラメータは、基地局によって設定され得るか、端末及び基地局で事前に交渉され得るか、又は通信プロトコルに基づいて決定され得る。
【００７０】
ユーザ機器（ＵＥ：ｕｓｅｒ  ｅｑｕｉｐｍｅｎｔ）が接続状態に入る場合、ＡＣ規制確認は、端末が非アクティブ状態で使用するよう設定された、ＮＡＳトリガ・イベントに対応する第１のＡＣ規制パラメータを用いて、又は端末が接続状態で使用するよう設定された、ＮＡＳトリガ・イベントに対応する第２のＡＣ規制パラメータを用いて、継続され得る。
【００７１】
端末が、第１のアクセス制御パラメータを使用してＡＣ規制確認を実行するか、又は第２のアクセス制御パラメータを使用してＡＣ規制確認を実行するかを決定する方法に関して、以下の２つの方法を含み得るが、これらに限定されない。
【００７２】
第１の方法：基地局から送信された、第２のＡＣ規制パラメータが受信されたかどうかにしたがって決定する。
【００７３】
この方法では、決定プロセスには以下が含まれ得る。
（２−１）基地局から送信される第２のＡＣ規制パラメータが受信された場合は、第２のＡＣ規制パラメータを用いてＡＣ規制確認を実行すること。
（２−２）基地局から送信される第２のＡＣ規制パラメータが受信されなかった場合は、第１のＡＣ規制パラメータを用いてＡＣ規制確認を実行すること。
【００７４】
たとえば、基地局が、端末を接続状態に入るよう設定し、端末が接続状態で使用する、ＮＡＳトリガ・イベントに対応する第２のＡＣ規制パラメータを、専用シグナリングによって同時に伝送する場合、端末のＮＡＳトリガ・イベントに対するＡＣ規制確認は、端末が接続状態で使用するよう設定された、ＮＡＳトリガ・イベントに対応する第２のＡＣ規制パラメータを用いて実行され得るか、さもなければ、ＡＣ規制確認は、端末が非アクティブ状態で使用するよう設定された、ＮＡＳトリガ・イベントに対応する第１のＡＣ規制パラメータを用いて、継続され得る。
【００７５】
第２の方法：基地局から送信された、端末に第２のＡＣ規制パラメータを使用するよう指令する指示情報が受信されたかどうかにしたがって決定する。第２のＡＣ規制パラメータは、端末が接続状態において使用するよう設定されたパラメータである。
【００７６】
この方法では、決定プロセスには以下が含まれ得る。
（３−１）端末に第２のＡＣ規制パラメータを使用するよう指令するために基地局から送信される指示情報が受信された場合、指示情報に基づいて第２のＡＣ規制パラメータを用いたＡＣ規制確認を実行すること。
（３−２）基地局から送信される指示情報が受信されなかった場合は、第１のＡＣ規制パラメータを用いてＡＣ規制確認を実行すること。
【００７７】
たとえば、ネットワークが、端末を接続状態に入るよう設定し、端末に接続状態で第２のＡＣ規制パラメータを使用するよう指令する指示情報を、専用シグナリングによって伝送する場合、端末のＮＡＳトリガ・イベントに対するＡＣ規制確認は、端末が接続状態で使用するよう設定された、ＮＡＳトリガ・イベントに対応する第２のＡＣ規制パラメータを用いて実行され得るか、さもなければ、ＡＣ規制確認は、端末が非アクティブ状態で使用するよう設定された、ＮＡＳトリガ・イベントに対応する第１のＡＣ規制パラメータを用いて、継続され得る。
【００７８】
上記の実施形態から、端末が非アクティブ状態にあるという判断に応答して、ＡＣ規制確認は、ＮＡＳトリガ・イベントに対して、第１のＡＣ規制パラメータを用いて実行され得ることがわかる。第１のＡＣ規制パラメータは、端末が非アクティブ状態において使用するよう設定されたパラメータである。端末が接続状態に入るという判断に応答して、ＡＣ規制確認は、第１のＡＣ規制パラメータ又は第２のＡＣ規制パラメータを用いて実行され得る。第２のＡＣ規制パラメータは、端末が接続状態において使用するよう設定されたパラメータである。したがって、ＡＣ規制確認の精度が改善される。
【００７９】
図５は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＮＡＳトリガ・イベント及びＲＡＮページングの両方に対してＡＣ規制を実行する場合、図５に示されるように、以下のステップ５１０〜５２０が含まれ得る。
【００８０】
ステップ５１０において、ＮＡＳトリガ・イベントがＡＣ規制を受けないという判断に応答して、ＲＡＮページングについて、ＲＡＮページングによってトリガされる再開プロセスが実行される。
【００８１】
本開示の実施形態では、ＮＡＳトリガ・イベントがＡＣ規制を受けないという判断に応答して、端末は、ＲＡＮページングに応答してネットワークにアクセスできるだけでなく、ネットワーク・アクセスのプロセス中に、ＮＡＳメッセージはＲＲＣメッセージ内で伝送され得る。ＲＲＣメッセージは、ＲＲＣ接続再開完了メッセージ、すなわちメッセージ５（ｍｓｇ５）であり得る。
【００８２】
ステップ５２０において、ＮＡＳトリガ・イベントについて、ＮＡＳメッセージが、ＲＡＮページングによってトリガされる指定メッセージに追加され、該指定メッセージは基地局に送信される。
【００８３】
本開示の実施形態では、１つ又は複数の指定メッセージは、ＲＡＮページングによってトリガでき、端末は、実際の状況にしたがって、指定メッセージのうちのどれにＮＡＳメッセージを追加するかを決定できる。
【００８４】
いくつかの実施形態では、指定メッセージは、ＲＡＮページングによってトリガされる再開プロセス中のＲＲＣメッセージ、又は端末がＲＡＮページングによってトリガされて接続状態に入るときの、端末からのアップリンク・メッセージである。ＲＲＣメッセージは、ＲＲＣ接続再開完了メッセージ、すなわちメッセージ５（ｍｓｇ５）であり得る。
【００８５】
上記の実施形態から、ＮＡＳトリガ・イベント及びＲＡＮページングの両方に対してＡＣ規制を実行すると、ＮＡＳトリガ・イベントがＡＣ規制を受けないという判断に応答して、ＲＡＮページングについて、ＲＡＮページングによってトリガされる再開プロセスが実行され、ＮＡＳトリガ・イベントについて、ＮＡＳメッセージがＲＡＮページングによってトリガされる指定メッセージに追加され、該指定メッセージは基地局に送信されることがわかる。したがって、ＡＣ規制の精度が改善される。
【００８６】
図６は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＮＡＳトリガ・イベントに対してＡＣ規制が実行され、端末が接続状態に入ったという判断の後に、ＲＡＮページングに対してＡＣ規制を実行する場合、図６に示されるように、以下のステップ６１０〜６３０が含まれ得る。
【００８７】
ステップ６１０において、ＮＡＳトリガ・イベントに対してＡＣ規制を実行した後、ＡＣ規制確認結果が得られる。
【００８８】
本開示の実施形態では、ＡＣ規制確認結果は、承認を示し得るか、又は拒否であり得る。
【００８９】
たとえば、ＮＡＳトリガ・イベントに対するＡＣ規制が最初に実行され、ＡＣ規制を通過する端末は、ネットワークの設定によって接続状態に入る。次いで、ＲＡＮページングによってトリガされるデータ送信が、接続状態で実行され得る。この時点で、ＲＡＮページングに対してＡＣ規制をトリガする必要はない。
【００９０】
別の例では、ＮＡＳトリガ・イベントに対するＡＣ規制が最初に実行され、ＡＣ規制を通過しない端末は、さらにＲＡＮページングに対してＡＣ規制を実行する。この時点では、ＲＡＮページングによってトリガされる再開プロセス中に、ＮＡＳメッセージはＲＲＣメッセージ内で伝送され得ない。
【００９１】
ステップ６２０において、ＡＣ規制確認結果が承認を示し、端末が接続状態に入るのを検出したことに応答して、ＲＡＮページングに対してＡＣ規制を実行することなく、ＲＡＮページングによってトリガされるデータ送信が接続状態で実行される。
【００９２】
ステップ６３０において、ＡＣ規制確認結果が拒否を示したことに応答して、ＲＡＮページングに対してＡＣ規制が実行され、ＲＡＮページングによってトリガされる再開プロセス中のＲＲＣメッセージを使用して、ＮＡＳメッセージを伝送することはできない。
【００９３】
上記の実施形態から、同時イベントが順に処理される場合、ＡＣ規制確認結果は、ＮＡＳトリガ・イベントに対するＡＣ規制の実行によって得ることができ、ＡＣ規制確認結果が承認を示し、端末が接続状態に入るのを検出したことに応答して、ＲＡＮページングに対してＡＣ規制を実行することなく、ＲＡＮページングによってトリガされるデータ送信が接続状態で実行され、また、ＡＣ規制確認結果が拒否を示したことに応答して、ＡＣ規制がＲＡＮページングに対して実行され、ＲＡＮページングによってトリガされる再開プロセス中のＲＲＣメッセージを使用して、ＮＡＳメッセージを伝送できないことがわかる。したがって、ＡＣ規制の効率と柔軟性との両方が改善される。
【００９４】
図７は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＡＣ規制を、ＲＡＮページングに対してしか実行せず、ＮＡＳトリガ・イベントに対して実行しない場合、図７に示されるように、以下のステップ７１０が含まれ得る。
【００９５】
ステップ７１０において、ＲＡＮページングはＡＣ規制を受けず、ＲＡＮページングによってトリガされる再開プロセスが実行され、ここで再開プロセス中のＲＲＣメッセージを使用して、ＮＡＳメッセージを伝送できる。
【００９６】
本開示の実施形態では、ＡＣ規制がＲＡＮページングに対してしか実行されない場合、ＡＣ規制は実行され得ず、その結果ＲＡＮページングによってトリガされる再開プロセスは、直接実行される。加えて、ＮＡＳメッセージは、再開プロセス中にＲＲＣメッセージ内で伝送され得る。すなわち、ＮＡＳトリガ・イベントに対するＡＣ規制は、もはや実行する必要がない。
【００９７】
上記の実施形態から、ＲＡＮページングに対してだけＡＣ規制を実行するが、ＮＡＳトリガ・イベントに対して実行しない場合、ＲＡＮページングはＡＣ規制を受け得ず、ＲＡＮページングによってトリガされる再開プロセスは、再開プロセス中のＲＲＣメッセージがＮＡＳメッセージを伝送できる状態で、実行され得ることがわかる。したがって、同時イベントのうちの一方だけが処理され、ＡＣ規制の効率が改善される。
【００９８】
図８は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＡＣ規制を、ＮＡＳトリガ・イベントに対してしか実行せず、ＲＡＮページングに対して実行しない場合、図８に示されるように、以下のステップ８１０が含まれ得る。
【００９９】
ステップ８１０において、ＮＡＳトリガ・イベントに対してＡＣ規制が実行された後で、且つＲＡＮページングによってトリガされる再開プロセスが実行されないと、ネットワークによって開始された解放に応答するか、又はやはりネットワークによって開始されたＲＡＮページングに応答する。
【０１００】
上記の実施形態から、ＮＡＳトリガ・イベントに対してしかＡＣ規制を実行せず、ＲＡＮページングに対して実行しない場合、ＡＣ規制がＮＡＳトリガ・イベントに対して実行された後で、且つＲＡＮページングによってトリガされる再開プロセスが実行されないと、ネットワークによって開始された解放に応答するか、又はやはりネットワークによって開始されたＲＡＮページングに応答することがわかる。したがって、同時イベントのうちの一方だけが処理され、ＡＣ規制の効率が改善される。
【０１０１】
図９は、本開示のいくつかの実施形態による、別のＡＣ規制方法を示すフローチャートである。ＡＣ規制方法は、端末に適用可能であり、図１に示される方法に基づいて、ＡＳトリガ・イベントは、ＲＡＮページングであり、ＮＡＳトリガ・イベントは、ＣＮページングである。ステップ１２０を実行する場合、図９に示されるように、以下のステップ９１０が含まれ得る。
【０１０２】
ステップ９１０において、ＣＮページングに対してのみＡＣ規制が実行される。
【０１０３】
上記の実施形態から、ＡＳトリガ・イベントがＲＡＮページングであり、ＮＡＳトリガ・イベントがＣＮページングである場合、ＡＣ規制は、ＣＮページングに対してのみ実行され得ることがわかる。したがって、ＡＣ規制の精度と効率との両方が改善される。
【０１０４】
前述のＡＣ規制方法の例に対応して、本開示はまた、ＡＣ規制装置の例も提供する。
【０１０５】
図１０は、本開示のいくつかの実施形態による、ＡＣ規制装置を示すブロック図である。該装置は、端末に適用可能であり、図１に示されるＡＣ規制方法を実行するよう構成される。図１０に示されるように、該装置は以下を備え得る。
ＮＡＳ及びＡＳによって同時にトリガされるイベントを検出するよう構成される、検出モジュール１０１、
ＮＡＳトリガ・イベント及び／又はＡＳトリガ・イベントに対してＡＣ規制を実行するよう構成される、ＡＣ規制モジュール１０２。
【０１０６】
上記の実施形態から、ＮＡＳ及びＡＳによって同時にトリガされるイベントが検出されると、ＮＡＳトリガ・イベント及び／又はＡＳトリガ・イベントに対してＡＣ規制を実行し、それにより、同時イベントに対するＡＣ規制を実施し、ＡＣ規制の適用範囲を広げ得ることがわかる。
【０１０７】
いくつかの実施形態では、図１０に示される装置に基づいて、ＡＳトリガ・イベントは、ＲＡＮページングである。図１１に示されるように、ＡＣ規制モジュール１０２は、以下を備え得る。
ＮＡＳトリガ・イベント及びＲＡＮページングの両方に対してＡＣ規制を実行するよう構成される、第１のＡＣ規制サブモジュール１１１、
ＡＣ規制がＮＡＳトリガ・イベントに対して実行され、端末が接続状態に入ることを検出するのに応答して、ＲＡＮページングに対してＡＣ規制を実行するよう構成される第２のＡＣ規制サブモジュール１１２、
ＲＡＮページングに対してだけＡＣ規制を実行するが、ＮＡＳトリガ・イベントに対しては実行しないように構成される、第３のＡＣ規制サブモジュール１１３、又は
ＮＡＳトリガ・イベントに対してだけＡＣ規制を実行するが、ＲＡＮページングに対しては実行しないように構成される、第４のＡＣ規制サブモジュール１１４。
【０１０８】
いくつかの実施形態では、図１１に示される装置に基づいて、図１２に示されるように、第１のＡＣ規制サブモジュール１１１は以下を備え得る。
ＮＡＳトリガ・イベントがＡＣ規制を受けるという判断に応答して、ＲＡＮページングについて、ＲＡＮページングによってトリガされる再開プロセスを実行するよう構成される、第１の実行サブモジュール１２１、
ＮＡＳトリガ・イベントについて、ＮＡＳトリガ・イベントに対応するＡＣ規制タイマを起動するよう構成される、起動サブモジュール１２２、
ＡＣ規制タイマの満了を検出したことに応答して、ＮＡＳトリガ・イベントに対してＡＣ規制確認を実行するよう構成される、第１の確認サブモジュール１２３。
【０１０９】
上記の実施形態から、ＮＡＳトリガ・イベント及びＲＡＮページングの両方に対してＡＣ規制を実行するために、ＮＡＳトリガ・イベントがＡＣ規制を受けるという判断に応答して、ＲＡＮページングについて、ＲＡＮページングによってトリガされる再開プロセスを実行でき、ＮＡＳトリガ・イベントについて、ＮＡＳトリガ・イベントに対応するＡＣ規制タイマを起動でき、且つＡＣ規制タイマの満了を検出するのに応答して、ＮＡＳトリガ・イベントに対してＡＣ規制確認が実行されることがわかる。このようにして、同時イベントをすべて処理でき、ＡＣ規制の信頼性が向上する。
【０１１０】
いくつかの実施形態では、図１２に示される装置に基づいて、ＡＣ規制タイマは、ＲＡＮページングが端末をトリガして、接続状態に入った後、又は非アクティブ状態であると、再起動されなくなる。
【０１１１】
いくつかの実施形態では、図１２に示される装置に基づいて、ＡＣ規制タイマは、ＲＡＮページングが端末をトリガして、接続状態に入った後、又は非アクティブ状態であると、再設定又は再起動される。
【０１１２】
いくつかの実施形態では、図１２に示される装置に基づいて、図１３に示されるように、第１の確認サブモジュール１２３は以下を備え得る。
端末が非アクティブ状態にあるという判断に応答して、ＮＡＳトリガ・イベントに対して、第１のＡＣ規制パラメータを用いて、ＡＣ規制確認を実行するよう構成される、第２の確認サブモジュール１３１。第１のＡＣ規制パラメータは、端末が非アクティブ状態において使用するよう設定されたパラメータである。
端末が接続状態に入るという判断に応答して、第１のＡＣ規制パラメータ又は第２のＡＣ規制パラメータを用いてＡＣ規制確認を実行するよう構成される、第３の確認サブモジュール１３２。第２のＡＣ規制パラメータは、端末が接続状態において使用するよう設定されたパラメータである。
【０１１３】
上記の実施形態から、端末が非アクティブ状態にあるという判断に応答して、ＡＣ規制確認が、ＮＡＳトリガ・イベントに対して、第１のＡＣ規制パラメータを用いて実行され得ることがわかる。第１のＡＣ規制パラメータは、端末が非アクティブ状態において使用するよう設定されたパラメータである。端末が接続状態に入るという判断に応答して、ＡＣ規制確認は、第１のＡＣ規制パラメータ又は第２のＡＣ規制パラメータを用いて実行され得る。第２のＡＣ規制パラメータは、端末が接続状態において使用するよう設定されたパラメータである。したがって、ＡＣ規制確認の精度が改善される。
【０１１４】
いくつかの実施形態では、図１３に示される装置に基づいて、図１４に示されるように、第３の確認サブモジュール１３２は以下を備え得る。
基地局から第２のＡＣ規制パラメータを受信することに応答して、第２のＡＣ規制パラメータを用いてＡＣ規制確認を実行するよう構成される、第１の処理サブモジュール１４１、
基地局から第２のＡＣ規制パラメータを受信しないことに応答して、第１のＡＣ規制パラメータを用いてＡＣ規制確認を実行するよう構成される、第２の処理サブモジュール１４２。
【０１１５】
いくつかの実施形態では、図１３に示される装置に基づいて、図１５に示されるように、第３の確認サブモジュール１３２は以下を備え得る。
第２のＡＣ規制パラメータを使用するよう端末に指令する指示情報を基地局から受信することに応答して、指示情報に基づいて第２のＡＣ規制パラメータを用いてＡＣ規制確認を実行するよう構成される、第３の処理サブモジュール１５１、
基地局から該指示情報を受信しないことに応答して、第１のＡＣ規制パラメータを用いてＡＣ規制確認を実行するよう構成される、第４の処理サブモジュール１５２。
【０１１６】
いくつかの実施形態では、図１１に示される装置に基づいて、図１６に示されるように、第１のＡＣ規制サブモジュール１１１は以下を備え得る。
ＮＡＳトリガ・イベントがＡＣ規制を受けないという判断に応答して、ＲＡＮページングについて、ＲＡＮページングによってトリガされる再開プロセスを実行するよう構成される、第２の実行サブモジュール１６１、
ＮＡＳトリガ・イベントについて、ＮＡＳメッセージをＲＡＮページングによってトリガされる指定メッセージに追加し、該指定メッセージを基地局に送信するよう構成される、追加サブモジュール１６２。
【０１１７】
上記の実施形態から、ＮＡＳトリガ・イベント及びＲＡＮページングの両方に対してＡＣ規制を実行する場合、ＮＡＳトリガ・イベントがＡＣ規制を受けないという判断に応答して、ＲＡＮページングについて、ＲＡＮページングによってトリガされる再開プロセスが実行され、ＮＡＳトリガ・イベントについて、ＮＡＳメッセージがＲＡＮページングによってトリガされる指定メッセージに追加され、該指定メッセージは基地局に送信されることがわかる。したがって、ＡＣ規制の精度が改善される。
【０１１８】
いくつかの実施形態では、図１６に示される装置に基づいて、指定メッセージは、ＲＡＮページングによってトリガされる再開プロセス中のＲＲＣメッセージ、又は端末がＲＡＮページングによってトリガされて接続状態に入るときの、端末からのアップリンク・メッセージである。
【０１１９】
いくつかの実施形態では、図１１に示される装置に基づいて、図１７に示されるように、第２のＡＣ規制サブモジュール１１２は以下を備え得る。
ＮＡＳトリガ・イベントに対してＡＣ規制を実行することによって、ＡＣ規制確認結果を取得するよう構成される、確認結果判断サブモジュール１７１、
ＡＣ規制確認結果が承認を示し、端末が接続状態に入るのを検出したことに応答して、ＲＡＮページングに対してＡＣ規制を実行することなく、ＲＡＮページングによってトリガされるデータ送信を接続状態で実行するよう構成される、第５の処理サブモジュール１７２、
ＡＣ規制確認結果が拒否を示したことに応答して、ＲＡＮページングに対してＡＣ規制を実行するよう構成される第６の処理サブモジュール１７３であって、ＲＡＮページングによってトリガされる再開プロセス中のＲＲＣメッセージは、ＮＡＳメッセージを伝送できないように構成される、第６の処理サブモジュール１７３。
【０１２０】
上記の実施形態から、同時イベントが順に処理される場合、ＡＣ規制確認結果は、ＮＡＳトリガ・イベントに対するＡＣ規制の実行によって得ることができ、ＡＣ規制確認結果が承認を示し、端末が接続状態に入るのを検出したことに応答して、ＲＡＮページングに対してＡＣ規制を実行することなく、ＲＡＮページングによってトリガされるデータ送信が接続状態で実行され、また、ＡＣ規制確認結果が拒否を示したことに応答して、ＡＣ規制がＲＡＮページングに対して実行され、ＲＡＮページングによってトリガされる再開プロセス中のＲＲＣメッセージを使用して、ＮＡＳメッセージを伝送できないことがわかる。したがって、ＡＣ規制の効率と柔軟性との両方が改善される。
【０１２１】
いくつかの実施形態では、図１１に示される装置に基づいて、図１８に示されるように、第３のＡＣ規制サブモジュール１１３は以下を備え得る。
ＲＡＮページングに対してＡＣ規制を実行することなく、ＲＡＮページングによってトリガされる再開プロセスを実行するよう構成される第７の処理サブモジュール１８１であって、再開プロセス中のＲＲＣメッセージは、ＮＡＳメッセージを伝送できるよう構成される、第７の処理サブモジュール１８１。
【０１２２】
上記の実施形態から、ＲＡＮページングに対してだけＡＣ規制を実行するが、ＮＡＳトリガ・イベントに対して実行しない場合、ＲＡＮページングはＡＣ規制を受け得ず、ＲＡＮページングによってトリガされる再開プロセスは、再開プロセス中のＲＲＣメッセージがＮＡＳメッセージを伝送できる状態で、実行され得ることがわかる。したがって、同時イベントのうちの一方だけが処理され、ＡＣ規制の効率が改善される。
【０１２３】
いくつかの実施形態では、図１１に示される装置に基づいて、図１９に示されるように、第４のＡＣ規制サブモジュール１１４は以下を備え得る。
ＮＡＳトリガ・イベントがＡＣ規制を受け、ＲＡＮページングによってトリガされる再開プロセスが実行されないことに応答して、ネットワークによって開始された解放又はやはりネットワークによって開始された他のＲＡＮページングに応答するよう構成される、第８の処理サブモジュール１９１。
【０１２４】
上記の実施形態から、ＮＡＳトリガ・イベントに対してしかＡＣ規制を実行せず、ＲＡＮページングに対して実行しない場合、ＡＣ規制がＮＡＳトリガ・イベントに対して実行された後で、且つＲＡＮページングによってトリガされる再開プロセスが実行されないと、ネットワークによって開始された解放に応答するか、又はやはりネットワークによって開始されたＲＡＮページングに応答することがわかる。したがって、同時イベントのうちの一方だけが処理され、ＡＣ規制の効率が改善される。
【０１２５】
いくつかの実施形態では、図１０に示される装置に基づいて、ＡＳトリガ・イベントはＲＡＮページングであり、ＮＡＳトリガ・イベントはＣＮページングである。図２０に示されるように、ＡＣ規制モジュール１０２は、以下を備え得る。
ＣＮページングに対してだけＡＣ規制を実行するよう構成される、第５のＡＣ規制サブモジュール２０１。
【０１２６】
上記の実施形態から、ＡＳトリガ・イベントがＲＡＮページングであり、ＮＡＳトリガ・イベントがＣＮページングである場合、ＡＣ規制は、ＣＮページングに対してのみ実行され得ることがわかる。したがって、ＡＣ規制の精度と効率との両方が改善される。
【０１２７】
装置の実施形態は、方法の実施形態に実質的に対応するので、関連する部分に関して、方法の実施形態の説明の一部を参照できる。上記の装置の実施形態は、単に例示的であり、ここで別個の部材として説明されているユニットは、物理的に分離されていてもいなくてもよく、ユニットとして表示された部材は、物理的なユニットであってもなくてもよい。すなわち、１箇所に配置されていてもよく、又は多数のネットワーク・ユニットに分散されていてもよい。モジュールの一部又はすべては、本開示の解決策の諸目的を実現するための、実際の要件にしたがって選択され得る。当業者は、創造的な作業なしで解決策を理解し、実行できる。
【０１２８】
本開示はまた、コンピュータ・プログラムを格納する非一時的コンピュータ可読記憶媒体も提供し、コンピュータ・プログラムは、図１から図９のいずれかにしたがって説明されたＡＣ規制方法を実行するよう構成される。
【０１２９】
本開示はまた、ＡＣ規制装置も提供し、該装置は、端末に適用可能であり、以下を備える。
プロセッサ、
プロセッサによる実行可能命令を格納するためのメモリ。
プロセッサは、以下のように構成される。
ＮＡＳ及びＡＳによって同時にトリガされるイベントを検出し、
ＮＡＳトリガ・イベント及び／又はＡＳトリガ・イベントに対して、ＡＣ規制を実行する。
【０１３０】
図２１は、本開示のいくつかの実施形態による、ＡＣ規制装置を示す構造概略図である。図２１に示されるように、ＡＣ規制装置２１００がいくつかの実施形態にしたがって示され、装置２１００は、コンピュータ、携帯電話、デジタル放送端末、メッセージ送受信デバイス、ゲーム機、タブレット・デバイス、医用デバイス、フィットネス・デバイス、携帯情報端末などであり得る。
【０１３１】
図２１を参照すると、デバイス２１００は、１つ又は複数の以下の構成要素を備え得る。処理構成要素２１０１、メモリ２１０２、電力構成要素２１０３、マルチメディア構成要素２１０４、音声構成要素２１０５、入出力（Ｉ／Ｏ：ｉｎｐｕｔ／ｏｕｔｐｕｔ）インタフェース２１０６、センサ構成要素２１０７、及び通信構成要素２１０８。
【０１３２】
処理構成要素２１０１は、典型的には、表示、通話、データ通信、カメラ動作、及び記録動作に関連する動作など、デバイス２１００の全体的な動作を制御する。処理構成要素２１０１は、上述のステップの全部又は一部を実施するための命令を実行する、１つ又は複数のプロセッサ２１０９を備え得る。さらに、処理構成要素２１０１は、構成要素２１０１と他の構成要素との間の相互作用を容易にする、１つ又は複数のモジュールを備え得る。たとえば、処理構成要素２１０１は、マルチメディア構成要素２１０４と処理構成要素２１０１との間の相互作用を容易にする、マルチメディア・モジュールを備え得る。
【０１３３】
メモリ２１０２は、デバイス２１００の動作を補助するために、様々な種類のデータを格納するよう構成される。かかるデータの例には、デバイス２１００で動作する任意のアプリケーション又は方法に関する命令、連絡先データ、電話帳データ、メッセージ、写真、ビデオなどが含まれる。メモリ２１０２は、静的ランダム・アクセス・メモリ（ＳＲＡＭ：ｓｔａｔｉｃ  ｒａｎｄｏｍ  ａｃｃｅｓｓ  ｍｅｍｏｒｙ）、電気的に消去可能なプログラマブル読取専用メモリ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、消去可能なプログラマブル読取専用メモリ（ＥＰＲＯＭ：ｅｒａｓａｂｌｅ  ｐｒｏｇｒａｍｍａｂｌｅ  Ｒｅａｄ  Ｏｎｌｙ  Ｍｅｍｏｒｙ）、プログラマブル読取専用メモリ（ＰＲＯＭ：ｐｒｏｇｒａｍｍａｂｌｅ  Ｒｅａｄ  Ｏｎｌｙ  Ｍｅｍｏｒｙ）、読取専用メモリ（ＲＯＭ：Ｒｅａｄ  Ｏｎｌｙ  Ｍｅｍｏｒｙ）、磁気メモリ、フラッシュ・メモリ、ディスク若しくは光ディスクなどの、任意の種類の揮発性若しくは不揮発性記憶デバイス、又はそれらの組合せによって、実装され得る。
【０１３４】
電力構成要素２１０３は、デバイス２１００の様々な部品に電力を供給する。電力構成要素２１０３は、電力管理システム、１つ又は複数の電源、及びデバイス２１００への電力の生成、管理、及び分配に関連する他の構成要素を備え得る。
【０１３５】
マルチメディア構成要素２１０４には、出力インタフェースを提供する、デバイス２１００とユーザとの間にある画面が含まれる。いくつかの例では、画面には、液晶ディスプレイ（ＬＣＤ：ｌｉｑｕｉｄ  ｃｒｙｓｔａｌ  ｄｉｓｐｌａｙ）及びタッチ・パネル（ＴＰ：ｔｏｕｃｈ  ｐａｎｅｌ）が含まれ得る。画面がタッチ・パネルを含む場合、画面は、タッチ・スクリーンとして実現され、ユーザからの入力信号を受信し得る。タッチ・パネルは、タッチ・パネル上でタッチ、スワイプ、及びジェスチャを検知する、１つ又は複数のタッチ・センサを備える。タッチ・センサは、タッチ又はスライド動作の範囲を検知できるだけでなく、タッチ又はスライド動作に伴う持続時間及び圧力も検知できる。いくつかの実施形態では、マルチメディア構成要素２１０４は、前面カメラ及び／又は背面カメラを備える。デバイス２１００が撮影モード又はビデオ・モードなどの動作モードにあるとき、前面カメラ及び／又は背面カメラは、外部のマルチメディア・データを受信できる。前面カメラ及び背面カメラはそれぞれ、固定光学レンズ・システムであってもよく、又は焦点距離及び光学ズーム機能を有していてもよい。
【０１３６】
音声構成要素２１０５は、音声信号を出力及び／又は入力するよう構成される。たとえば、音声構成要素２１０５は、デバイス２１００が通話モード、録音モード、及び音声認識モードなどの動作モードにあるとき、外部音声信号を受信するよう構成されるマイク（ＭＩＣ：ｍｉｃｒｏｐｈｏｎｅ）を備える。受信された音声信号は、メモリ２１０２にさらに格納されてもよく、又は通信構成要素２１０８によって送信されてもよい。いくつかの例では、音声構成要素２１０５は、音声信号を出力するためのスピーカも備える。
【０１３７】
Ｉ／Ｏインタフェース２１０６は、処理構成要素２１０１と周辺インタフェース・モジュールとの間のインタフェースを提供し得る。周辺インタフェース・モジュールには、キーボード、クリック・ホイール、釦などが含まれ得る。こうした釦には、ホーム釦、音量釦、開始釦、及びロック釦が含まれ得るが、これらに限定されるものではない。
【０１３８】
センサ構成要素２１０７は、デバイス２１００の、様々な態様の状態評価を可能にする、１つ又は複数のセンサを備える。たとえば、センサ構成要素２１０７は、デバイス２１００の開閉状態、デバイス２１００のディスプレイ及びキーパッドなどの構成要素の相対位置を検出でき、センサ構成要素２１０７はまた、デバイス２１００又はデバイス２１００の構成要素の位置の変化、ユーザのデバイス２１００との接触の有無、デバイス２１００の向き又は加速／減速、及びデバイス２１００の温度変化も検出できる。センサ構成要素２１０７は、どんな物理的接触もなしに、近くの物体の存在を検出するよう構成される近接センサを備え得る。センサ構成要素２１０７は、撮像用途に使用するＣＭＯＳ又はＣＣＤ画像センサなどの光センサも備え得る。いくつかの例では、センサ構成要素２１０７は、加速度計センサ、ジャイロ・センサ、磁気センサ、圧力センサ、又は温度センサも備え得る。
【０１３９】
通信構成要素２１０８は、装置２１００と他のデバイスとの間の有線又は無線通信を容易にし得る。デバイス２１００は、ＷｉＦｉ、２Ｇ、若しくは３Ｇ、又はその組合せなどの通信規格に基づいて、無線ネットワークにアクセスできる。例示的な例では、通信構成要素２１０８は、放送チャネルを通じて、外部の放送管理システムから放送信号又は放送関連情報を受信する。例示的な例では、通信構成要素２１０８はまた、容易に短距離通信を行うために、近距離通信（ＮＦＣ：ｎｅａｒ  ｆｉｅｌｄ  ｃｏｍｍｕｎｉｃａｔｉｏｎ）モジュールも備える。たとえば、ＮＦＣモジュールは、無線周波数識別（ＲＦＩＤ：ｒａｄｉｏ  ｆｒｅｑｕｅｎｃｙ  ｉｄｅｎｔｉｆｉｃａｔｉｏｎ）技術、赤外線データ協会（ＩｒＤＡ：ｉｎｆｒａｒｅｄ  ｄａｔａ  ａｓｓｏｃｉａｔｉｏｎ）技術、超広帯域（ＵＷＢ：ｕｌｔｒａ−ｗｉｄｅｂａｎｄ）技術、ブルートゥース（登録商標）（ＢＴ：Ｂｌｕｅｔｏｏｔｈ）技術、及び他の技術に基づいて実現され得る。
【０１４０】
一例では、装置２１００は、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブル論理デバイス（ＰＬＤ：ｐｒｏｇｒａｍｍａｂｌｅ  Ｌｏｇｉｃ  Ｄｅｖｉｃｅ）、フィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙ）、コントローラ、マイクロコントローラ、マイクロプロセッサ、又は上記の方法を実行するための他の電子構成要素で実現され得る。
【０１４１】
例示的な例では、上記の方法を実行するために、デバイス２１００のプロセッサ２１０９によって実行可能な命令を有するメモリ２１０２などの、命令を有する非一時的コンピュータ可読記憶媒体も提供される。非一時的コンピュータ可読記憶媒体は、たとえば、ＲＯＭ、ランダム・アクセス・メモリ（ＲＡＭ：ｒａｎｄｏｍ  ａｃｃｅｓｓ  ｍｅｍｏｒｙ）、ＣＤ−ＲＯＭ、磁気テープ、フロッピ・ディスク、及び光データ記憶デバイスであり得る。
【０１４２】
記憶媒体内の命令がプロセッサによって実行されると、装置２１００は、上記のＡＣ規制方法のいずれかを実行できる。
【０１４３】
この開示は、図面に示される上記の構造に限定されず、本開示の範囲から逸脱することなく、本開示に対して様々な変更及び修正が行われ得ることを理解されたい。本開示の範囲は、添付の請求の範囲によってのみ制限されるべきである。
【図１】
2021525486.tif 000003
【図２】
2021525486.tif 000004
【図３】
2021525486.tif 000005
【図４】
2021525486.tif 000006
【図５】
2021525486.tif 000007
【図６】
2021525486.tif 000008
【図７】
2021525486.tif 000009
【図８】
2021525486.tif 000010
【図９】
2021525486.tif 000011
【図１０】
2021525486.tif 000012
【図１１】
2021525486.tif 000013
【図１２】
2021525486.tif 000014
【図１３】
2021525486.tif 000015
【図１４】
2021525486.tif 000016
【図１５】
2021525486.tif 000017
【図１６】
2021525486.tif 000018
【図１７】
2021525486.tif 000019
【図１８】
2021525486.tif 000020
【図１９】
2021525486.tif 000021
【図２０】
2021525486.tif 000022
【図２１】
2021525486.tif 000023
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
端末に適用可能な、アクセス制御（ＡＣ）規制方法であって、
非アクセス層（ＮＡＳ）トリガ・イベント及びアクセス層（ＡＳ）トリガ・イベントのうち少なくとも一方を検出するステップと、
該ＮＡＳトリガ・イベント及び該ＡＳトリガ・イベントのうち少なくとも一方に対して、ＡＣ規制確認を実行するステップと
を含む、方法。
【請求項２】
前記ＡＳトリガ・イベントは、無線アクセス・ネットワーク（ＲＡＮ）ページングである、請求項１に記載の方法。
【請求項３】
前記ＮＡＳトリガ・イベント及び前記ＡＳトリガ・イベントのうち少なくとも一方に対して、ＡＣ規制確認を実行するステップは、
前記ＮＡＳトリガ・イベント及び前記ＲＡＮページングの両方に対して、ＡＣ規制確認を実行するステップと、
ＡＣ規制確認が前記ＮＡＳトリガ・イベントに対して実行され、前記端末が接続状態に入ることを検出するのに応答して、前記ＲＡＮページングに対してＡＣ規制確認を実行するステップと、
前記ＲＡＮページングに対してだけＡＣ規制確認を実行するステップと、
前記ＮＡＳトリガ・イベントに対してだけＡＣ規制確認を実行するステップと
のうちの少なくとも１つを含む、請求項２に記載の方法。
【請求項４】
前記ＮＡＳトリガ・イベント及び前記ＲＡＮページングの両方に対して、ＡＣ規制確認を実行するステップは、
前記ＮＡＳトリガ・イベントがＡＣ規制確認を受けるという判断に応答して、前記ＲＡＮページングについて、前記ＲＡＮページングによってトリガされる再開プロセスを実行するステップと、
前記ＮＡＳトリガ・イベントについて、前記ＮＡＳトリガ・イベントに対応するＡＣ規制タイマを起動するステップと、
該ＡＣ規制タイマの満了を検出したことに応答して、前記ＮＡＳトリガ・イベントに対してＡＣ規制確認を再度実行するステップと
を含む、請求項３に記載の方法。
【請求項５】
前記ＡＣ規制タイマは、前記ＲＡＮページングが前記端末をトリガして、前記接続状態に入るか、又は非アクティブ状態であることに応答して、再起動されなくなる、請求項４に記載の方法。
【請求項６】
前記ＡＣ規制タイマは、前記ＲＡＮページングが前記端末をトリガして、前記接続状態に入るか、又は非アクティブ状態であることに応答して、再設定又は再起動される、請求項４に記載の方法。
【請求項７】
前記ＡＣ規制タイマの満了を検出したことに応答して、前記ＮＡＳトリガ・イベントに対してＡＣ規制確認を実行するステップは、
前記端末が非アクティブ状態にあるという判断に応答して、前記ＮＡＳトリガ・イベントに対して第１のＡＣ規制パラメータを用いてＡＣ規制確認を実行するステップであって、該第１のＡＣ規制パラメータは、前記端末が該非アクティブ状態において使用するよう設定されたパラメータである、ステップと、
前記端末が前記接続状態に入るという判断に応答して、該第１のＡＣ規制パラメータ又は第２のＡＣ規制パラメータを用いてＡＣ規制確認を実行するステップであって、該第２のＡＣ規制パラメータは、前記端末が前記接続状態において使用するよう設定されたパラメータである、ステップと
を含む、請求項４に記載の方法。
【請求項８】
前記第１のＡＣ規制パラメータ又は前記第２のＡＣ規制パラメータを用いてＡＣ規制確認を実行するステップは、
基地局から前記第２のＡＣ規制パラメータを受信することに応答して、前記第２のＡＣ規制パラメータを用いてＡＣ規制確認を実行するステップと、
該基地局から前記第２のＡＣ規制パラメータを受信しないことに応答して、前記第１のＡＣ規制パラメータを用いてＡＣ規制確認を実行するステップと
を含む、請求項７に記載の方法。
【請求項９】
前記第１のＡＣ規制パラメータ又は前記第２のＡＣ規制パラメータを用いてＡＣ規制確認を実行するステップは、
前記第２のＡＣ規制パラメータを使用するよう前記端末に指令する指示情報を基地局から受信することに応答して、該指示情報に基づいて前記第２のＡＣ規制パラメータを用いてＡＣ規制確認を実行するステップと、
該基地局から該指示情報を受信しないことに応答して、前記第１のＡＣ規制パラメータを用いてＡＣ規制確認を実行するステップと
を含む、請求項７に記載の方法。
【請求項１０】
前記ＮＡＳトリガ・イベント及び前記ＲＡＮページングの両方に対して、ＡＣ規制確認を実行するステップは、
前記ＮＡＳトリガ・イベントがＡＣ規制確認を受けないという判断に応答して、前記ＲＡＮページングについて、前記ＲＡＮページングによってトリガされる再開プロセスを実行するステップと、
前記ＮＡＳトリガ・イベントについて、ＮＡＳメッセージを前記ＲＡＮページングによってトリガされる指定メッセージに追加し、該指定メッセージを基地局に送信するステップと
を含む、請求項３に記載の方法。
【請求項１１】
前記指定メッセージは、
前記ＲＡＮページングによってトリガされる前記再開プロセス中の無線リソース制御（ＲＲＣ）メッセージであるか、又は
前記端末が前記ＲＡＮページングによってトリガされて前記接続状態に入るときの、前記端末からのアップリンク・メッセージである、
請求項１０に記載の方法。
【請求項１２】
ＡＣ規制確認が前記ＮＡＳトリガ・イベントに対して実行され、前記端末が前記接続状態に入ることを検出するのに応答して、前記ＲＡＮページングに対してＡＣ規制確認を実行するステップは、
前記ＮＡＳトリガ・イベントに対してＡＣ規制確認を実行することによって、ＡＣ規制確認結果を取得するステップと、
該ＡＣ規制確認結果が承認を示し、前記端末が前記接続状態に入るのを検出したことに応答して、前記ＲＡＮページングに対してＡＣ規制確認を実行することなく、前記ＲＡＮページングによってトリガされるデータ送信を前記接続状態で実行するステップと、
該ＡＣ規制確認結果が拒否を示したことに応答して、前記ＲＡＮページングに対してＡＣ規制確認を実行するステップであって、前記ＲＡＮページングによってトリガされる再開プロセス中のＲＲＣメッセージは、ＮＡＳメッセージを伝送できないように構成されるステップと
を含む、請求項３に記載の方法。
【請求項１３】
前記ＲＡＮページングに対してだけＡＣ規制確認を実行するステップは、
前記ＲＡＮページングによってトリガされる再開プロセスの実行を可能にするステップ
を含む、請求項３に記載の方法。
【請求項１４】
前記ＲＡＮページングに対してだけＡＣ規制確認を実行すると、前記再開プロセス中のＲＲＣメッセージは、ＮＡＳメッセージを伝送できるよう構成される、請求項３に記載の方法。
【請求項１５】
前記ＮＡＳトリガ・イベントに対してだけＡＣ規制確認を実行するステップは、
前記ＮＡＳトリガ・イベントがＡＣ規制確認を受け、前記ＲＡＮページングによってトリガされる再開プロセスが実行されないことに応答して、ネットワークによって開始された解放又はやはり該ネットワークによって開始された他のＲＡＮページングに応答するステップ
を含む、請求項３に記載の方法。
【請求項１６】
前記ＮＡＳトリガ・イベントは、コア・ネットワーク（ＣＮ）ページングであり、前記ＮＡＳトリガ・イベント及び前記ＡＳトリガ・イベントのうち少なくとも一方に対して、ＡＣ規制確認を実行するステップは、
該ＣＮページングに対してのみＡＣ規制確認を実行するステップ
を含む、請求項２に記載の方法。
【請求項１７】
プロセッサに請求項１から１６までのいずれか一項に記載の前記ＡＣ規制方法を実行させる、プロセッサによる実行のためのコンピュータ命令をその上に格納する非一時的コンピュータ可読記憶媒体。
【請求項１８】
端末に適用可能なＡＣ規制装置であって、該装置は、
プロセッサと、
前記プロセッサによって実行可能な命令を、格納するためのメモリと、を備え、
前記プロセッサは、
非アクセス層（ＮＡＳ）トリガ・イベント、及びアクセス層（ＡＳ）トリガ・イベントのうち少なくとも一方を検出する機能と、
該ＮＡＳトリガ・イベント及び該ＡＳトリガ・イベントのうち少なくとも一方に対して、ＡＣ規制確認を実行する機能と
を有する、装置。
【手続補正２】
【補正対象書類名】明細書
【補正対象項目名】全文
【補正方法】変更
【補正の内容】
【発明の詳細な説明】
【技術分野】
【０００１】
本開示は、通信技術の分野、詳細には、アクセス・クラス（ＡＣ：ａｃｃｅｓｓ  ｃｌａｓｓ）規制方法及び装置に関する。
【背景技術】
【０００２】
ロングターム・エボリューション（ＬＴＥ：ｌｏｎｇ−ｔｅｒｍ  ｅｖｏｌｕｔｉｏｎ）通信システムにおいて、ＡＣ規制動作の仕組みは、端末のアクセス・クラス及び端末から開始される呼種にしたがって、対応するＡＣ規制パラメータが取得され、それに応じてＡＣ規制確認が実行される。
【０００３】
新無線（ＮＲ：ｎｅｗ  ｒａｄｉｏ）通信システムにおいて、ＡＣ規制の統一された仕組みが導入される。さらに、統一されたＡＣ規制の仕組みは、アイドル状態又は非アクティブ状態の端末に適用でき、また接続状態の端末にも適用できる。
【発明の概要】
【発明が解決しようとする課題】
【０００４】
しかし、ＮＲ通信システムでは、端末の非アクセス層（ＮＡＳ：ｎｏｎ−ａｃｃｅｓｓ  ｓｔｒａｔｕｍ）によってトリガされるイベントと、端末のアクセス層（ＡＳ：ａｃｃｅｓｓ  ｓｔｒａｔｕｍ）によってトリガされるイベントとが共存でき、該イベントは、同時イベントと呼ばれることがあるが、同時イベントに対してＡＣ規制を実行する技術的な解決策はない。
【課題を解決するための手段】
【０００５】
本開示の様々な実施形態は、ＡＣ規制方法及び装置を提供する。
【０００６】
本開示の実施形態の第１の態様によれば、ＡＣ規制方法が提供され、該方法は、端末に適用可能であり、以下を含む。
非アクセス層（ＮＡＳ）イベントと、アクセス層（ＡＳ）イベントとのうち少なくとも一方を検出するステップ、並びに
ＮＡＳトリガ・イベント及びＡＳトリガ・イベントのうち少なくとも一方に対して、ＡＣ規制確認を実行するステップ。
【０００７】
任意選択で、ＡＳトリガ・イベントは、無線アクセス・ネットワーク（ＲＡＮ：ｒａｄｉｏ  ａｃｃｅｓｓ  ｎｅｔｗｏｒｋ）ページングである。
【０００８】
任意選択で、ＮＡＳトリガ・イベント及びＡＳトリガ・イベントのうち少なくとも一方に対してＡＣ規制確認を実行するステップは、以下のうちの少なくとも１つを含む。
ＮＡＳトリガ・イベント及びＲＡＮページングの両方に対して、ＡＣ規制確認を実行するステップ、
ＡＣ規制確認がＮＡＳトリガ・イベントに対して実行され、端末が接続状態に入ることを検出するのに応答して、ＲＡＮページングに対してＡＣ規制確認を実行するステップ、
ＲＡＮページングに対してだけＡＣ規制確認を実行するステップ、並びに
ＮＡＳトリガ・イベントに対してだけＡＣ規制確認を実行するステップ。
【０００９】
任意選択で、ＮＡＳトリガ・イベント及びＲＡＮページングの両方に対して、ＡＣ規制確認を実行するステップは、以下を含む。
ＮＡＳトリガ・イベントがＡＣ規制を受けるという判断に応答して、ＲＡＮページングについて、ＲＡＮページングによってトリガされる再開プロセスを実行するステップ、
ＮＡＳトリガ・イベントについて、ＮＡＳトリガ・イベントに対応するＡＣ規制タイマを起動するステップ、及び
ＡＣ規制タイマの満了を検出したことに応答して、ＮＡＳトリガ・イベントに対してＡＣ規制確認を再度実行するステップ。
【００１０】
任意選択で、ＡＣ規制タイマは、ＲＡＮページングが端末をトリガして、接続状態に入った後、又は非アクティブ状態であると、再起動されなくなる。
【００１１】
任意選択で、ＡＣ規制タイマは、ＲＡＮページングが端末をトリガして、接続状態に入った後、又は非アクティブ状態であると、再設定又は再起動される。
【００１２】
任意選択で、ＡＣ規制タイマの満了を検出したことに応答して、ＮＡＳトリガ・イベントに対してＡＣ規制確認を実行するステップは、以下を含む。
端末が非アクティブ状態にあるという判断に応答して、ＮＡＳトリガ・イベントに対して第１のＡＣ規制パラメータを用いてＡＣ規制確認を実行するステップであって、第１のＡＣ規制パラメータは、端末が非アクティブ状態において使用するよう設定されたパラメータである、ステップ、及び
端末が接続状態に入るという判断に応答して、第１のＡＣ規制パラメータ又は第２のＡＣ規制パラメータを用いてＡＣ規制確認を実行するステップであって、第２のＡＣ規制パラメータは、端末が接続状態において使用するよう設定されたパラメータである、ステップ。
【００１３】
任意選択で、第１のＡＣ規制パラメータ又は第２のＡＣ規制パラメータを用いてＡＣ規制確認を実行するステップは、以下を含む。
基地局から第２のＡＣ規制パラメータを受信することに応答して、第２のＡＣ規制パラメータを用いてＡＣ規制確認を実行するステップ、及び
基地局から第２のＡＣ規制パラメータを受信しないことに応答して、第１のＡＣ規制パラメータを用いてＡＣ規制確認を実行するステップ。
【００１４】
任意選択で、第１のＡＣ規制パラメータ又は第２のＡＣ規制パラメータを用いてＡＣ規制確認を実行するステップは、以下を含む。
第２のＡＣ規制パラメータを使用するよう端末に指令する指示情報を基地局から受信することに応答して、指示情報に基づいて第２のＡＣ規制パラメータを用いてＡＣ規制確認を実行するステップ、及び
基地局から該指示情報を受信しないことに応答して、第１のＡＣ規制パラメータを用いてＡＣ規制確認を実行するステップ。
【００１５】
任意選択で、ＮＡＳトリガ・イベント及びＲＡＮページングの両方に対して、ＡＣ規制確認を実行するステップは、以下を含む。
ＮＡＳトリガ・イベントがＡＣ規制を受けないという判断に応答して、ＲＡＮページングについて、ＲＡＮページングによってトリガされる再開プロセスを実行するステップ、並びに
ＮＡＳトリガ・イベントについて、ＮＡＳメッセージをＲＡＮページングによってトリガされる指定メッセージに追加し、及び該指定メッセージを基地局に送信するステップ。
【００１６】
任意選択で、指定メッセージは、ＲＡＮページングによってトリガされる再開プロセス中の無線リソース制御（ＲＲＣ：ｒａｄｉｏ  ｒｅｓｏｕｒｃｅ  ｃｏｎｔｒｏｌ）メッセージ、又は端末がＲＡＮページングによってトリガされて接続状態に入るときの、端末からのアップリンク・メッセージである。
【００１７】
任意選択で、ＡＣ規制確認がＮＡＳトリガ・イベントに対して実行され、端末が接続状態に入ることを検出するのに応答して、ＲＡＮページングに対してＡＣ規制確認を実行するステップは、以下を含む。
ＮＡＳトリガ・イベントに対してＡＣ規制確認を実行することによって、ＡＣ規制確認結果を取得するステップ、
ＡＣ規制確認結果が承認を示し、端末が接続状態に入るのを検出したことに応答して、ＲＡＮページングによってトリガされるデータ送信を、ＲＡＮページングに対してＡＣ規制確認を実行することなく、接続状態で実行するステップ、及び
ＡＣ規制確認結果が拒否を示したことに応答して、ＲＡＮページングに対してＡＣ規制確認を実行するステップであって、ＲＡＮページングによってトリガされる再開プロセス中のＲＲＣメッセージは、ＮＡＳメッセージを伝送できないように構成される、ステップ。
【００１８】
任意選択で、ＲＡＮページングに対してだけＡＣ規制確認を実行するステップは、以下を含む。
ＲＡＮページングによってトリガされる再開プロセスの実行を可能にするステップであって、再開プロセス中のＲＲＣメッセージは、ＮＡＳメッセージを伝送できるよう構成される、ステップ。
【００１９】
任意選択で、ＮＡＳトリガ・イベントに対してだけＡＣ規制確認を実行するステップは、以下を含む。
ＮＡＳトリガ・イベントがＡＣ規制確認を受け、ＲＡＮページングによってトリガされる再開プロセスが実行されないことに応答して、ネットワークによって開始された解放（ｒｅｌｅａｓｅ）又はやはりネットワークによって開始された他のＲＡＮページングに応答するステップ。
【００２０】
任意選択で、ＮＡＳトリガ・イベントは、コア・ネットワーク（ＣＮ：ｃｏｒｅ  ｎｅｔｗｏｒｋ）ページングであり、ＮＡＳトリガ・イベント及びＡＳトリガ・イベントのうち少なくとも一方に対して、ＡＣ規制確認を実行するステップは、以下を含む。
ＣＮページングに対してのみＡＣ規制確認を実行するステップ。
【００２１】
本開示の実施形態の第２の態様によれば、ＡＣ規制装置が提供され、該装置は、端末に適用可能であり、以下を備える。
ＮＡＳ及びＡＳによって同時にトリガされるイベントを検出するよう構成される、検出モジュール、並びに
ＮＡＳトリガ・イベント及び／又はＡＳトリガ・イベントに対してＡＣ規制確認を実行するよう構成される、ＡＣ規制モジュール。
【００２２】
任意選択で、ＡＳトリガ・イベントは、ＲＡＮページングである、
【００２３】
任意選択で、ＡＣ規制モジュールは、以下のうちの少なくとも１つを備える。
ＮＡＳトリガ・イベント及びＲＡＮページングの両方に対してＡＣ規制確認を実行するよう構成される、第１のＡＣ規制サブモジュール、
ＡＣ規制確認がＮＡＳトリガ・イベントに対して実行され、端末が接続状態に入ることを検出するのに応答して、ＲＡＮページングに対してＡＣ規制確認を実行するよう構成される第２のＡＣ規制サブモジュール、
ＲＡＮページングに対してだけＡＣ規制確認を実行するが、ＮＡＳトリガ・イベントに対しては実行しないように構成される、第３のＡＣ規制サブモジュール、並びに
ＮＡＳトリガ・イベントに対してだけＡＣ規制確認を実行するが、ＲＡＮページングに対しては実行しないように構成される、第４のＡＣ規制サブモジュール。
【００２４】
任意選択で、第１のＡＣ規制サブモジュールは、以下を備える。
ＮＡＳトリガ・イベントがＡＣ規制を受けるという判断に応答して、ＲＡＮページングについて、ＲＡＮページングによってトリガされる再開プロセスを実行するよう構成される、第１の実行サブモジュール、
ＮＡＳトリガ・イベントについて、ＮＡＳトリガ・イベントに対応するＡＣ規制タイマを起動するよう構成される、起動サブモジュール、及び
ＡＣ規制タイマの満了を検出したことに応答して、ＮＡＳトリガ・イベントに対してＡＣ規制確認を再度実行するよう構成される、第１の確認サブモジュール。
【００２５】
任意選択で、ＡＣ規制タイマは、ＲＡＮページングが端末をトリガして、接続状態に入った後、又は非アクティブ状態であると、再起動されなくなる。
【００２６】
任意選択で、ＡＣ規制タイマは、ＲＡＮページングが端末をトリガして、接続状態に入った後、又は非アクティブ状態であると、再設定又は再起動される。
【００２７】
任意選択で、第１の確認サブモジュールは、以下を備える。
端末が非アクティブ状態にあるという判断に応答して、ＮＡＳトリガ・イベントに対して第１のＡＣ規制パラメータを用いてＡＣ規制確認を実行するよう構成される、第２の確認サブモジュールであって、第１のＡＣ規制パラメータは、端末が非アクティブ状態において使用するよう設定されたパラメータである、第２の確認サブモジュール、及び
端末が接続状態に入るという判断に応答して、第１のＡＣ規制パラメータ又は第２のＡＣ規制パラメータを用いてＡＣ規制確認を実行するよう構成される、第３の確認サブモジュールであって、第２のＡＣ規制パラメータは、端末が接続状態において使用するよう設定されたパラメータである、第３の確認サブモジュール。
【００２８】
任意選択で、第３の確認サブモジュールは、以下を備える。
基地局から第２のＡＣ規制パラメータを受信することに応答して、第２のＡＣ規制パラメータを用いてＡＣ規制確認を実行するよう構成される、第１の処理サブモジュール、及び
基地局から第２のＡＣ規制パラメータを受信しないことに応答して、第１のＡＣ規制パラメータを用いてＡＣ規制確認を実行するよう構成される、第２の処理サブモジュール。
【００２９】
任意選択で、第３の確認サブモジュールは、以下を備える。
第２のＡＣ規制パラメータを使用するよう端末に指令する指示情報を基地局から受信することに応答して、指示情報に基づいて第２のＡＣ規制パラメータを用いてＡＣ規制確認を実行するよう構成される、第３の処理サブモジュール、及び
基地局から該指示情報を受信しないことに応答して、第１のＡＣ規制パラメータを用いてＡＣ規制確認を実行するよう構成される、第４の処理サブモジュール。
【００３０】
任意選択で、第１のＡＣ規制サブモジュールは、以下を備える。
ＮＡＳトリガ・イベントがＡＣ規制を受けないという判断に応答して、ＲＡＮページングについて、ＲＡＮページングによってトリガされる再開プロセスを実行するよう構成される、第２の実行サブモジュール、及び
ＮＡＳトリガ・イベントについて、ＮＡＳメッセージをＲＡＮページングによってトリガされる指定メッセージに追加し、該指定メッセージを基地局に送信するよう構成される、追加サブモジュール。
【００３１】
任意選択で、指定メッセージは、ＲＡＮページングによってトリガされる再開プロセス中のＲＲＣメッセージ、又は端末がＲＡＮページングによってトリガされて接続状態に入るときの、端末からのアップリンク・メッセージである。
【００３２】
任意選択で、第２のＡＣ規制サブモジュールは、以下を備える。
ＮＡＳトリガ・イベントに対してＡＣ規制確認を実行することによって、ＡＣ規制確認結果を取得するよう構成される、確認結果判断サブモジュール、
ＡＣ規制確認結果が承認を示し、端末が接続状態に入るのを検出したことに応答して、ＲＡＮページングに対してＡＣ規制を実行することなく、ＲＡＮページングによってトリガされるデータ送信を接続状態で実行するよう構成される、第５の処理サブモジュール、及び
ＡＣ規制確認結果が拒否を示したことに応答して、ＲＡＮページングに対してＡＣ規制を実行するよう構成される第６の処理サブモジュールであって、ＲＡＮページングによってトリガされる再開プロセス中のＲＲＣメッセージは、ＮＡＳメッセージを伝送できないように構成される、第６の処理サブモジュール。
【００３３】
任意選択で、第３のＡＣ規制サブモジュールは、以下を備える。
ＲＡＮページングによってトリガされる再開プロセスを実行するよう構成される第７の処理サブモジュールであって、再開プロセス中のＲＲＣメッセージは、ＮＡＳメッセージを伝送できるよう構成される、第７の処理サブモジュール。
【００３４】
任意選択で、第４のＡＣ規制サブモジュールは、以下を備える。
ＮＡＳトリガ・イベントがＡＣ規制を受け、ＲＡＮページングによってトリガされる再開プロセスが実行されないことに応答して、ネットワークによって開始された解放又はやはりネットワークによって開始された他のＲＡＮページングに応答するよう構成される、第８の処理サブモジュール。
【００３５】
任意選択で、ＮＡＳトリガ・イベントは、ＣＮページングであり、ＡＣ規制モジュールは、以下を備える。
ＣＮページングに対してだけＡＣ規制確認を実行するよう構成される、第５のＡＣ規制サブモジュール。
【００３６】
本開示の実施形態の第３の態様によれば、コンピュータ・プログラムを格納する非一時的コンピュータ可読記憶媒体が提供され、コンピュータ・プログラムは、第１の態様に基づくＡＣ規制方法を実行するよう構成される。
【００３７】
本開示の実施形態の第４の態様によれば、ＡＣ規制装置が提供される。該装置は、端末に適用可能であり、以下を備える。
プロセッサ。
プロセッサによって実行可能な命令を、格納するためのメモリ。
ここで、プロセッサは、以下のように構成される。
ＮＡＳ及びＡＳによって同時にトリガされるイベントを検出し、
ＮＡＳトリガ・イベント及び／又はＡＳトリガ・イベントに対して、ＡＣ規制を実行する。
【００３８】
本開示の例によって提供される技術的解決策は、以下の有益な効果をもたらし得る。
【００３９】
本開示による端末が、端末内でＮＡＳ及びＡＳによって同時にトリガされるイベントを検出すると、端末は、ＮＡＳトリガ・イベント及び／又はＡＳトリガ・イベントに対してＡＣ規制を実行し、それにより、同時イベントに対するＡＣ規制を実施し、ＡＣ規制の適用範囲を広げることができる。
【００４０】
上記の概括的な説明及び以下の詳細な説明は、例示的且つ説明的なものでしかなく、本開示を限定しないことを理解されたい。
【００４１】
本開示に組み入れられ、本開示の一部を構成する添付図面は、本開示と一貫する例を示し、説明と共に本開示の原理を説明するよう機能する。
【図面の簡単な説明】
【００４２】
【図１】本開示の例による、ＡＣ規制方法を示すフローチャートである。
【図２】本開示のいくつかの実施形態による、ＡＣ規制方法を示す適用場面の図である。
【図３】本開示のいくつかの実施形態による、別のＡＣ規制方法を示すフローチャートである。
【図４】本開示のいくつかの実施形態による、別のＡＣ規制方法を示すフローチャートである。
【図５】本開示のいくつかの実施形態による、別のＡＣ規制方法を示すフローチャートである。
【図６】本開示のいくつかの実施形態による、別のＡＣ規制方法を示すフローチャートである。
【図７】本開示のいくつかの実施形態による、別のＡＣ規制方法を示すフローチャートである。
【図８】本開示のいくつかの実施形態による、別のＡＣ規制方法を示すフローチャートである。
【図９】本開示のいくつかの実施形態による、別のＡＣ規制方法を示すフローチャートである。
【図１０】本開示のいくつかの実施形態による、ＡＣ規制装置を示すブロック図である。
【図１１】本開示のいくつかの実施形態による、別のＡＣ規制装置を示すブロック図である。
【図１２】本開示のいくつかの実施形態による、別のＡＣ規制装置を示すブロック図である。
【図１３】本開示のいくつかの実施形態による、別のＡＣ規制装置を示すブロック図である。
【図１４】本開示のいくつかの実施形態による、別のＡＣ規制装置を示すブロック図である。
【図１５】本開示のいくつかの実施形態による、別のＡＣ規制装置を示すブロック図である。
【図１６】本開示のいくつかの実施形態による、別のＡＣ規制装置を示すブロック図である。
【図１７】本開示のいくつかの実施形態による、別のＡＣ規制装置を示すブロック図である。
【図１８】本開示のいくつかの実施形態による、別のＡＣ規制装置を示すブロック図である。
【図１９】本開示のいくつかの実施形態による、別のＡＣ規制装置を示すブロック図である。
【図２０】本開示のいくつかの実施形態による、別のＡＣ規制装置を示すブロック図である。
【図２１】本開示のいくつかの実施形態による、ＡＣ規制装置を示す構造概略図である。
【図２２】本開示のいくつかの実施形態による、別のＡＣ規制方法を示すフローチャートである。
【発明を実施するための形態】
【００４３】
ここで実施形態を、図面に表現したその例と共に、詳細に説明することにする。以下の説明が図面を含む場合、相異なる図面の同様の数字は、別段の指示がない限り、同様又は類似の要素を指す。以下の例に記載の実施形態は、本開示と一貫するすべての実施形態を表すものではない。それどころか、以下の実施形態は、添付の請求の範囲に詳述される、本開示のいくつかの態様と一貫する装置及び方法の単なる例にすぎない。
【００４４】
本開示で使用される用語は、特定の例を説明することだけを目的としており、本開示を限定することを意図するものではない。この開示及び添付の請求の範囲で使用されるとき、単数形「ａ」、「ａｎ」、及び「ｔｈｅ」は、文脈上明らかにそうでないと示していない限り、複数形も同様に含むことを意図する。本明細書で使用されるとき、用語「及び／又は」は、関連する列挙されたアイテムの１つ又は複数のありとあらゆる可能な組合せを指し、それらを含むことも理解されたい。
【００４５】
用語「第１の」、「第２の」、「第３の」などは、本明細書では様々な情報を説明するために使用され得るが、情報は、こうした用語によって限定されるべきではないことが理解されよう。こうした用語は、あるカテゴリの情報を別のカテゴリの情報と区別するためにしか使用されない。たとえば、本開示の範囲から逸脱することなく、第１の情報は第２の情報と呼ばれることがあり、同様に、第２の情報は第１の情報と呼ばれることもある。本明細書で使用されるとき、用語「もし（ｉｆ）」は、文脈に応じて、「〜すると（ｗｈｅｎ）」、「〜すると（ｕｐｏｎ）」、又は「〜と判断したことに応答して（ｉｎ  ｒｅｓｐｏｎｓｅ  ｔｏ  ｄｅｔｅｒｍｉｎｉｎｇ）」と解釈され得る。
ＮＲ通信システムでは、端末の非アクセス層（ＮＡＳ）によってトリガされるイベントと、端末のアクセス層（ＡＳ）によってトリガされるイベントとが共存でき、該イベントは、同時イベントと呼ばれることがあるが、同時イベントに対してＡＣ規制を実行する技術的な解決策はない。
【００４６】
図１は、本開示の実施形態によるＡＣ規制方法を示すフローチャートであり、図２は、本開示の実施形態によるＡＣ規制方法を示す適用場面である。ＡＣ規制方法は、端末に適用可能である。図１に示されるように、ＡＣ規制方法は、以下のステップ１１０〜１２０を含み得る。
【００４７】
ステップ１１０において、ＮＡＳ及びＡＳによって同時にトリガされるイベントが検出される。
【００４８】
本開示の実施形態では、ＮＡＳトリガ・イベントは、非アクティブ状態の端末のＮＡＳによってトリガされるイベントであり得る。たとえば、ＮＡＳトリガ・イベントは、コア・ネットワーク（ＣＮ）ページングである。ＡＳトリガ・イベントは、非アクティブ状態の端末のＡＳによってトリガされるイベントであり得る。たとえば、ＡＳトリガ・イベントは、無線アクセス・ネットワーク（ＲＡＮ）ページングである。
【００４９】
ステップ１２０において、ＡＣ規制確認は、ＮＡＳトリガ・イベント及び／又はＡＳトリガ・イベントに対して実行される。
【００５０】
本開示の実施形態では、ＡＣ規制確認は、ＮＡＳトリガ・イベント及びＡＳトリガ・イベントの両方に対して実行できるか、又はＡＣ規制確認は、ＮＡＳトリガ・イベント及びＡＳトリガ・イベントのうちの一方に対してだけ実行できる。
【００５１】
いくつかの実施形態では、ＡＳトリガ・イベントは、ＲＡＮページングであり、ステップ１２０が以下を含むがそれらに限定されない形で、ステップ１２０は実行され得る。
（１−１）ＮＡＳトリガ・イベント及びＲＡＮページングの両方に対して、ＡＣ規制確認を実行するステップ、
（１−２）ＮＡＳトリガ・イベントに対してＡＣ規制確認が実行され、端末が接続状態に入ることが検出された後に、ＲＡＮページングに対してＡＣ規制確認を実行するステップ、
（１−３）ＲＡＮページングに対してＡＣ規制確認を実行するが、ＮＡＳトリガ・イベントに対して実行しないステップ、又は
（１−４）ＮＡＳトリガ・イベントに対してだけＡＣ規制確認を実行するが、ＲＡＮページングに対しては実行しないステップ。
【００５２】
図２に示される適用場面は、端末及び基地局を含む。ＮＡＳ及びＡＳによって同時にトリガされるイベントの検出に応答して、端末は、ＮＡＳトリガ・イベント及び／又はＡＳトリガ・イベントに対してＡＣ規制確認を実行できる。特に、ＡＳトリガ・イベントがＲＡＮページングである場合、すなわち、端末のＡＳが基地局に再開要求を送信する必要がある場合、端末が、ＮＡＳトリガ・イベント及びＲＡＮページングの両方に対してＡＣ規制確認を実行できるか、ＮＡＳトリガ・イベントに対してＡＣ規制確認が実行され、端末が接続状態に入ることが検出された後、端末がＲＡＮページングに対してＡＣ規制確認を実行できるか、端末がＲＡＮページングに対してだけＡＣ規制確認を実行できるが、ＮＡＳトリガ・イベントに対して実行できないか、又は端末がＮＡＳトリガ・イベントに対してだけＡＣ規制確認を実行できるが、ＲＡＮページングに対して実行できない。
【００５３】
上記の実施形態から、ＮＡＳ及びＡＳによって同時にトリガされるイベントが検出されると、ＮＡＳトリガ・イベント及び／又はＡＳトリガ・イベントに対してＡＣ規制確認を実行し、それにより、同時イベントに対するＡＣ規制確認を実施し、ＡＣ規制確認の適用範囲を広げ得ることがわかる。
【００５４】
図３は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＮＡＳトリガ・イベント及びＲＡＮページングの両方に対してＡＣ規制確認を実行する場合、図３に示されるように、以下のステップ３１０〜３３０が含まれ得る。
【００５５】
ステップ３１０において、ＮＡＳトリガ・イベントがＡＣ規制を受けるという判断に応答して、ＲＡＮページングについて、ＲＡＮページングによってトリガされる再開プロセスが実行される。
【００５６】
本開示の実施形態では、ＮＡＳトリガ・イベントがＡＣ規制を受けるという判断に応答して、端末は、ＲＡＮページングへの応答でしかネットワークにアクセスできず、ネットワーク・アクセス処理中は、ＮＡＳメッセージは無線リソース制御（ＲＲＣ）メッセージ内で伝送されない。ＲＲＣメッセージは、ＲＲＣ接続再開完了メッセージ、すなわちメッセージ５（ｍｓｇ５）であり得る。
【００５７】
ステップ３２０において、ＮＡＳトリガ・イベントについて、ＮＡＳトリガ・イベントに対応するＡＣ規制タイマが起動される。
【００５８】
本開示の実施形態では、ＡＣ規制タイマは、基地局によって設定され得るか、端末及び基地局で事前に交渉され得るか、又は通信プロトコルに基づいて決定され得る。
【００５９】
ステップ３３０において、ＡＣ規制タイマの満了を検出したことに応答して、ＡＣ規制確認が、ＮＡＳトリガ・イベントに対して実行される。
【００６０】
本開示の実施形態では、ＡＣ規制タイマは、ＮＡＳトリガ・イベントに対して起動されるので、ＡＣ規制タイマの満了後に、ＡＣ規制確認は、やはりＮＡＳトリガ・イベントに対してのみ実行され得る。
【００６１】
いくつかの実施形態では、ＡＣ規制タイマは、ＲＡＮページングが端末をトリガして接続状態に入るか、又は非アクティブ状態であることに応答して、再起動されなくなる。
【００６２】
いくつかの実施形態では、ＡＣ規制タイマは、ＲＡＮページングが端末をトリガして接続状態に入るか、又は非アクティブ状態であることに応答して、再設定又は再起動される。ここで、ＡＣ規制タイマを再設定することは、ＡＣ規制タイマを最初の値に設定することであるが、ＡＣ規制タイマを動作させない。
【００６３】
上記の実施形態から、ＮＡＳトリガ・イベント及びＲＡＮページングの両方に対してＡＣ規制確認を実行するために、ＮＡＳトリガ・イベントがＡＣ規制確認を受けるという判断に応答して、ＲＡＮページングについて、ＲＡＮページングによってトリガされる再開プロセスを実行でき、ＮＡＳトリガ・イベントに対して、ＮＡＳトリガ・イベントに対応するＡＣ規制タイマを起動でき、且つＡＣ規制タイマの満了を検出するのに応答して、ＮＡＳトリガ・イベントに対してＡＣ規制確認が実行されることがわかる。このようにして、同時イベントをすべて処理でき、ＡＣ規制確認の信頼性が向上する。
【００６４】
図４は、本開示のいくつかの実施形態による、別のＡＣ規制方法を示すフローチャートである。ＡＣ規制方法は、端末に適用可能であり、図３に示される方法に基づいてステップ３３０を実行する場合、図４に示されるように、以下のステップ４１０〜４２０が含まれ得る。
【００６５】
ステップ４１０において、端末が非アクティブ状態にあるという判断に応答して、ＡＣ規制確認が、ＮＡＳトリガ・イベントに対して、第１のＡＣ規制パラメータを用いて実行される。第１のＡＣ規制パラメータは、端末が非アクティブ状態において使用するよう設定されたパラメータである。
【００６６】
本開示の実施形態では、第１のＡＣ規制パラメータは、基地局によって設定され得るか、端末及び基地局で事前に交渉され得るか、又は通信プロトコルに基づいて決定され得る。
【００６７】
端末が依然として非アクティブ状態にある場合、ＡＣ規制確認は、端末が非アクティブ状態で使用するよう設定された、ＮＡＳトリガ・イベントに対応する第１のＡＣ規制パラメータを用いて継続され得る。
【００６８】
ステップ４２０において、端末が接続状態に入るという判断に応答して、ＡＣ規制確認は、第１のＡＣ規制パラメータ又は第２のＡＣ規制パラメータを用いて実行される。第２のＡＣ規制パラメータは、端末が接続状態において使用するよう設定されたパラメータである。
【００６９】
本開示の実施形態では、第２のＡＣ規制パラメータは、基地局によって設定され得るか、端末及び基地局で事前に交渉され得るか、又は通信プロトコルに基づいて決定され得る。
【００７０】
端末が接続状態に入る場合、ＡＣ規制確認は、端末が非アクティブ状態で使用するよう設定された、ＮＡＳトリガ・イベントに対応する第１のＡＣ規制パラメータを用いて、又は端末が接続状態で使用するよう設定された、ＮＡＳトリガ・イベントに対応する第２のＡＣ規制パラメータを用いて、継続され得る。
【００７１】
端末が、第１のＡＣ規制パラメータを使用してＡＣ規制確認を実行するか、又は第２のＡＣ規制パラメータを使用してＡＣ規制確認を実行するかを決定する方法に関して、以下の２つの方法を含み得るが、これらに限定されない。
【００７２】
第１の方法：基地局から送信された、第２のＡＣ規制パラメータが受信されたかどうかにしたがって決定する。
【００７３】
この方法では、決定プロセスには以下が含まれ得る。
（２−１）基地局から送信される第２のＡＣ規制パラメータが受信された場合は、第２のＡＣ規制パラメータを用いてＡＣ規制確認を実行すること。
（２−２）基地局から送信される第２のＡＣ規制パラメータが受信されなかった場合は、第１のＡＣ規制パラメータを用いてＡＣ規制確認を実行すること。
【００７４】
たとえば、基地局が、端末を接続状態に入るよう設定し、端末が接続状態で使用する、ＮＡＳトリガ・イベントに対応する第２のＡＣ規制パラメータを、専用シグナリングによって同時に伝送する場合、端末のＮＡＳトリガ・イベントに対するＡＣ規制確認は、端末が接続状態で使用するよう設定された、ＮＡＳトリガ・イベントに対応する第２のＡＣ規制パラメータを用いて実行され得るか、さもなければ、ＡＣ規制確認は、端末が非アクティブ状態で使用するよう設定された、ＮＡＳトリガ・イベントに対応する第１のＡＣ規制パラメータを用いて、継続され得る。
【００７５】
第２の方法：基地局から送信された、端末に第２のＡＣ規制パラメータを使用するよう指令する指示情報が受信されたかどうかにしたがって決定する。第２のＡＣ規制パラメータは、端末が接続状態において使用するよう設定されたパラメータである。
【００７６】
この方法では、決定プロセスには以下が含まれ得る。
（３−１）端末に第２のＡＣ規制パラメータを使用するよう指令するために基地局から送信される指示情報が受信された場合、指示情報に基づいて第２のＡＣ規制パラメータを用いたＡＣ規制確認を実行すること。
（３−２）基地局から送信される指示情報が受信されなかった場合は、第１のＡＣ規制パラメータを用いてＡＣ規制確認を実行すること。
【００７７】
たとえば、ネットワークが、端末を接続状態に入るよう設定し、端末に接続状態で第２のＡＣ規制パラメータを使用するよう指令する指示情報を、専用シグナリングによって伝送する場合、端末のＮＡＳトリガ・イベントに対するＡＣ規制確認は、端末が接続状態で使用するよう設定された、ＮＡＳトリガ・イベントに対応する第２のＡＣ規制パラメータを用いて実行され得るか、さもなければ、ＡＣ規制確認は、端末が非アクティブ状態で使用するよう設定された、ＮＡＳトリガ・イベントに対応する第１のＡＣ規制パラメータを用いて、継続され得る。
【００７８】
上記の実施形態から、端末が非アクティブ状態にあるという判断に応答して、ＡＣ規制確認は、ＮＡＳトリガ・イベントに対して、第１のＡＣ規制パラメータを用いて実行され得ることがわかる。第１のＡＣ規制パラメータは、端末が非アクティブ状態において使用するよう設定されたパラメータである。端末が接続状態に入るという判断に応答して、ＡＣ規制確認は、第１のＡＣ規制パラメータ又は第２のＡＣ規制パラメータを用いて実行され得る。第２のＡＣ規制パラメータは、端末が接続状態において使用するよう設定されたパラメータである。したがって、ＡＣ規制確認の精度が改善される。
【００７９】
図５は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＮＡＳトリガ・イベント及びＲＡＮページングの両方に対してＡＣ規制確認を実行する場合、図５に示されるように、以下のステップ５１０〜５２０が含まれ得る。
【００８０】
ステップ５１０において、ＮＡＳトリガ・イベントがＡＣ規制を受けないという判断に応答して、ＲＡＮページングについて、ＲＡＮページングによってトリガされる再開プロセスが実行される。
【００８１】
本開示の実施形態では、ＮＡＳトリガ・イベントがＡＣ規制を受けないという判断に応答して、端末は、ＲＡＮページングに応答してネットワークにアクセスできるだけでなく、ネットワーク・アクセスのプロセス中に、ＮＡＳメッセージはＲＲＣメッセージ内で伝送され得る。ＲＲＣメッセージは、ＲＲＣ接続再開完了メッセージ、すなわちメッセージ５（ｍｓｇ５）であり得る。
【００８２】
ステップ５２０において、ＮＡＳトリガ・イベントについて、ＮＡＳメッセージが、ＲＡＮページングによってトリガされる指定メッセージに追加され、該指定メッセージは基地局に送信される。
【００８３】
本開示の実施形態では、１つ又は複数の指定メッセージは、ＲＡＮページングによってトリガでき、端末は、実際の状況にしたがって、指定メッセージのうちのどれにＮＡＳメッセージを追加するかを決定できる。
【００８４】
いくつかの実施形態では、指定メッセージは、ＲＡＮページングによってトリガされる再開プロセス中のＲＲＣメッセージ、又は端末がＲＡＮページングによってトリガされて接続状態に入るときの、端末からのアップリンク・メッセージである。ＲＲＣメッセージは、ＲＲＣ接続再開完了メッセージ、すなわちメッセージ５（ｍｓｇ５）であり得る。
【００８５】
上記の実施形態から、ＮＡＳトリガ・イベント及びＲＡＮページングの両方に対してＡＣ規制確認を実行すると、ＮＡＳトリガ・イベントがＡＣ規制確認を受けないという判断に応答して、ＲＡＮページングについて、ＲＡＮページングによってトリガされる再開プロセスが実行され、ＮＡＳトリガ・イベントについて、ＮＡＳメッセージがＲＡＮページングによってトリガされる指定メッセージに追加され、該指定メッセージは基地局に送信されることがわかる。したがって、ＡＣ規制確認の精度が改善される。
【００８６】
図６は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＮＡＳトリガ・イベントに対してＡＣ規制確認が実行され、端末が接続状態に入ったという判断の後に、ＲＡＮページングに対してＡＣ規制確認を実行する場合、図６に示されるように、以下のステップ６１０〜６３０が含まれ得る。
【００８７】
ステップ６１０において、ＮＡＳトリガ・イベントに対してＡＣ規制確認を実行した後、ＡＣ規制確認結果が得られる。
【００８８】
本開示の実施形態では、ＡＣ規制確認結果は、承認を示し得るか、又は拒否であり得る。
【００８９】
たとえば、ＮＡＳトリガ・イベントに対するＡＣ規制確認が最初に実行され、ＮＡＳトリガ・イベントについてのＡＣ規制確認を通過する端末は、ネットワークの設定によって接続状態に入る。次いで、ＲＡＮページングによってトリガされるデータ送信が、接続状態で実行され得る。この時点で、ＲＡＮページングに対してＡＣ規制確認をトリガする必要はない。
【００９０】
別の例では、ＮＡＳトリガ・イベントに対するＡＣ規制確認が最初に実行され、ＮＡＳトリガ・イベントについてのＡＣ規制確認を通過しない端末は、さらにＲＡＮページングに対してＡＣ規制確認を実行する。この時点では、ＲＡＮページングによってトリガされる再開プロセス中に、ＮＡＳメッセージはＲＲＣメッセージ内で伝送され得ない。
【００９１】
ステップ６２０において、ＡＣ規制確認結果が承認を示し、端末が接続状態に入るのを検出したことに応答して、ＲＡＮページングに対してＡＣ規制確認を実行することなく、ＲＡＮページングによってトリガされるデータ送信が接続状態で実行される。
【００９２】
ステップ６３０において、ＡＣ規制確認結果が拒否を示したことに応答して、ＲＡＮページングに対してＡＣ規制確認が実行され、ＲＡＮページングによってトリガされる再開プロセス中のＲＲＣメッセージを使用して、ＮＡＳメッセージを伝送することはできない。
【００９３】
上記の実施形態から、同時イベントが順に処理される場合、ＡＣ規制確認結果は、ＮＡＳトリガ・イベントに対するＡＣ規制確認の実行によって得ることができ、ＡＣ規制確認結果が承認を示し、端末が接続状態に入るのを検出したことに応答して、ＲＡＮページングに対してＡＣ規制確認を実行することなく、ＲＡＮページングによってトリガされるデータ送信が接続状態で実行され、また、ＡＣ規制確認結果が拒否を示したことに応答して、ＡＣ規制確認がＲＡＮページングに対して実行され、ＲＡＮページングによってトリガされる再開プロセス中のＲＲＣメッセージを使用して、ＮＡＳメッセージを伝送できないことがわかる。したがって、ＡＣ規制確認の効率と柔軟性との両方が改善される。
【００９４】
図７は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＡＣ規制を、ＲＡＮページングに対してしか実行せず、ＮＡＳトリガ・イベントに対して実行しない場合、図７に示されるように、以下のステップ７１０が含まれ得る。
【００９５】
ステップ７１０において、ＲＡＮページングによってトリガされる再開プロセスが実行され、ここで再開プロセス中のＲＲＣメッセージを使用して、ＮＡＳメッセージを伝送できる。
【００９６】
本開示の実施形態では、ＡＣ規制確認がＲＡＮページングに対してしか実行されない場合、ＡＣ規制は実行され得ず、その結果ＲＡＮページングによってトリガされる再開プロセスは、直接実行される。加えて、ＮＡＳメッセージは、再開プロセス中にＲＲＣメッセージ内で伝送され得る。すなわち、ＮＡＳトリガ・イベントに対するＡＣ規制は、もはや実行する必要がない。
【００９７】
上記の実施形態から、ＲＡＮページングに対してだけＡＣ規制を実行するが、ＮＡＳトリガ・イベントに対して実行しない場合、ＲＡＮページングはＡＣ規制を受け得ず、ＲＡＮページングによってトリガされる再開プロセスは、再開プロセス中のＲＲＣメッセージがＮＡＳメッセージを伝送できる状態で、実行され得ることがわかる。したがって、同時イベントのうちの一方だけが処理され、ＡＣ規制の効率が改善される。
【００９８】
図８は、本開示のいくつかの実施形態による、別のＡＣ規制方法を示すフローチャートである。ＡＣ規制方法は、端末に適用可能であり、図１に示される方法に基づいて、いくつかの実施形態では、ＡＳトリガ・イベントは、ＲＡＮページングである。ステップ１２０において、ＡＣ規制を、ＮＡＳトリガ・イベントに対してしか実行せず、ＲＡＮページングに対して実行しない場合、図８に示されるように、以下のステップ８１０が含まれ得る。
【００９９】
ステップ８１０において、ＮＡＳトリガ・イベントに対してＡＣ規制確認が実行された後で、且つＲＡＮページングによってトリガされる再開プロセスが実行されないと、ネットワークによって開始された解放に応答するか、又はやはりネットワークによって開始されたＲＡＮページングに応答する。
【０１００】
上記の実施形態から、ＮＡＳトリガ・イベントに対してしかＡＣ規制確認を実行せず、ＲＡＮページングに対して実行しない場合、ＡＣ規制確認がＮＡＳトリガ・イベントに対して実行された後で、且つＲＡＮページングによってトリガされる再開プロセスが実行されないと、ネットワークによって開始された解放に応答するか、又はやはりネットワークによって開始されたＲＡＮページングに応答することがわかる。したがって、同時イベントのうちの一方だけが処理され、ＡＣ規制確認の効率が改善される。
【０１０１】
図９は、本開示のいくつかの実施形態による、別のＡＣ規制方法を示すフローチャートである。ＡＣ規制方法は、端末に適用可能であり、図１に示される方法に基づいて、ＡＳトリガ・イベントは、ＲＡＮページングであり、ＮＡＳトリガ・イベントは、ＣＮページングである。ステップ１２０を実行する場合、図９に示されるように、以下のステップ９１０が含まれ得る。
【０１０２】
ステップ９１０において、ＣＮページングに対してのみＡＣ規制が実行される。
【０１０３】
上記の実施形態から、ＡＳトリガ・イベントがＲＡＮページングであり、ＮＡＳトリガ・イベントがＣＮページングである場合、ＡＣ規制は、ＣＮページングに対してのみ実行され得ることがわかる。したがって、ＡＣ規制の精度と効率との両方が改善される。
【０１０４】
前述のＡＣ規制方法の例に対応して、本開示はまた、ＡＣ規制装置の例も提供する。
【０１０５】
図１０は、本開示のいくつかの実施形態による、ＡＣ規制装置を示すブロック図である。該装置は、端末に適用可能であり、図１に示されるＡＣ規制方法を実行するよう構成される。図１０に示されるように、該装置は以下を備え得る。
ＮＡＳ及びＡＳによって同時にトリガされるイベントを検出するよう構成される、検出モジュール１０１、
ＮＡＳトリガ・イベント及び／又はＡＳトリガ・イベントに対してＡＣ規制確認を実行するよう構成される、ＡＣ規制モジュール１０２。
【０１０６】
上記の実施形態から、ＮＡＳ及びＡＳによって同時にトリガされるイベントが検出されると、ＮＡＳトリガ・イベント及び／又はＡＳトリガ・イベントに対してＡＣ規制確認を実行し、それにより、同時イベントに対するＡＣ規制確認を実施し、ＡＣ規制確認の適用範囲を広げ得ることがわかる。
【０１０７】
いくつかの実施形態では、図１０に示される装置に基づいて、ＡＳトリガ・イベントは、ＲＡＮページングである。図１１に示されるように、ＡＣ規制モジュール１０２は、以下を備え得る。
ＮＡＳトリガ・イベント及びＲＡＮページングの両方に対してＡＣ規制確認を実行するよう構成される、第１のＡＣ規制サブモジュール１１１、
ＡＣ規制がＮＡＳトリガ・イベントに対して実行され、端末が接続状態に入ることを検出するのに応答して、ＲＡＮページングに対してＡＣ規制確認を実行するよう構成される第２のＡＣ規制サブモジュール１１２、
ＲＡＮページングに対してだけＡＣ規制確認を実行するが、ＮＡＳトリガ・イベントに対しては実行しないように構成される、第３のＡＣ規制サブモジュール１１３、又は
ＮＡＳトリガ・イベントに対してだけＡＣ規制確認を実行するが、ＲＡＮページングに対しては実行しないように構成される、第４のＡＣ規制サブモジュール１１４。
【０１０８】
いくつかの実施形態では、図１１に示される装置に基づいて、図１２に示されるように、第１のＡＣ規制サブモジュール１１１は以下を備え得る。
ＮＡＳトリガ・イベントがＡＣ規制を受けるという判断に応答して、ＲＡＮページングについて、ＲＡＮページングによってトリガされる再開プロセスを実行するよう構成される、第１の実行サブモジュール１２１、
ＮＡＳトリガ・イベントについて、ＮＡＳトリガ・イベントに対応するＡＣ規制タイマを起動するよう構成される、起動サブモジュール１２２、
ＡＣ規制タイマの満了を検出したことに応答して、ＮＡＳトリガ・イベントに対してＡＣ規制確認を再度実行するよう構成される、第１の確認サブモジュール１２３。
【０１０９】
上記の実施形態から、ＮＡＳトリガ・イベント及びＲＡＮページングの両方に対してＡＣ規制を実行するために、ＮＡＳトリガ・イベントがＡＣ規制を受けるという判断に応答して、ＲＡＮページングについて、ＲＡＮページングによってトリガされる再開プロセスを実行でき、ＮＡＳトリガ・イベントについて、ＮＡＳトリガ・イベントに対応するＡＣ規制タイマを起動でき、且つＡＣ規制タイマの満了を検出するのに応答して、ＮＡＳトリガ・イベントに対してＡＣ規制確認が実行されることがわかる。このようにして、同時イベントをすべて処理でき、ＡＣ規制の信頼性が向上する。
【０１１０】
いくつかの実施形態では、図１２に示される装置に基づいて、ＡＣ規制タイマは、ＲＡＮページングが端末をトリガして、接続状態に入った後、又は非アクティブ状態であると、再起動されなくなる。
【０１１１】
いくつかの実施形態では、図１２に示される装置に基づいて、ＡＣ規制タイマは、ＲＡＮページングが端末をトリガして、接続状態に入った後、又は非アクティブ状態であると、再設定又は再起動される。
【０１１２】
いくつかの実施形態では、図１２に示される装置に基づいて、図１３に示されるように、第１の確認サブモジュール１２３は以下を備え得る。
端末が非アクティブ状態にあるという判断に応答して、ＮＡＳトリガ・イベントに対して、第１のＡＣ規制パラメータを用いて、ＡＣ規制確認を実行するよう構成される、第２の確認サブモジュール１３１。第１のＡＣ規制パラメータは、端末が非アクティブ状態において使用するよう設定されたパラメータである。
端末が接続状態に入るという判断に応答して、第１のＡＣ規制パラメータ又は第２のＡＣ規制パラメータを用いてＡＣ規制確認を実行するよう構成される、第３の確認サブモジュール１３２。第２のＡＣ規制パラメータは、端末が接続状態において使用するよう設定されたパラメータである。
【０１１３】
上記の実施形態から、端末が非アクティブ状態にあるという判断に応答して、ＡＣ規制確認が、ＮＡＳトリガ・イベントに対して、第１のＡＣ規制パラメータを用いて実行され得ることがわかる。第１のＡＣ規制パラメータは、端末が非アクティブ状態において使用するよう設定されたパラメータである。端末が接続状態に入るという判断に応答して、ＡＣ規制確認は、第１のＡＣ規制パラメータ又は第２のＡＣ規制パラメータを用いて実行され得る。第２のＡＣ規制パラメータは、端末が接続状態において使用するよう設定されたパラメータである。したがって、ＡＣ規制確認の精度が改善される。
【０１１４】
いくつかの実施形態では、図１３に示される装置に基づいて、図１４に示されるように、第３の確認サブモジュール１３２は以下を備え得る。
基地局から第２のＡＣ規制パラメータを受信することに応答して、第２のＡＣ規制パラメータを用いてＡＣ規制確認を実行するよう構成される、第１の処理サブモジュール１４１、
基地局から第２のＡＣ規制パラメータを受信しないことに応答して、第１のＡＣ規制パラメータを用いてＡＣ規制確認を実行するよう構成される、第２の処理サブモジュール１４２。
【０１１５】
いくつかの実施形態では、図１３に示される装置に基づいて、図１５に示されるように、第３の確認サブモジュール１３２は以下を備え得る。
第２のＡＣ規制パラメータを使用するよう端末に指令する指示情報を基地局から受信することに応答して、指示情報に基づいて第２のＡＣ規制パラメータを用いてＡＣ規制確認を実行するよう構成される、第３の処理サブモジュール１５１、
基地局から該指示情報を受信しないことに応答して、第１のＡＣ規制パラメータを用いてＡＣ規制確認を実行するよう構成される、第４の処理サブモジュール１５２。
【０１１６】
いくつかの実施形態では、図１１に示される装置に基づいて、図１６に示されるように、第１のＡＣ規制サブモジュール１１１は以下を備え得る。
ＮＡＳトリガ・イベントがＡＣ規制を受けないという判断に応答して、ＲＡＮページングについて、ＲＡＮページングによってトリガされる再開プロセスを実行するよう構成される、第２の実行サブモジュール１６１、
ＮＡＳトリガ・イベントについて、ＮＡＳメッセージをＲＡＮページングによってトリガされる指定メッセージに追加し、該指定メッセージを基地局に送信するよう構成される、追加サブモジュール１６２。
【０１１７】
上記の実施形態から、ＮＡＳトリガ・イベント及びＲＡＮページングの両方に対してＡＣ規制確認を実行する場合、ＮＡＳトリガ・イベントがＡＣ規制を受けないという判断に応答して、ＲＡＮページングについて、ＲＡＮページングによってトリガされる再開プロセスが実行され、ＮＡＳトリガ・イベントについて、ＮＡＳメッセージがＲＡＮページングによってトリガされる指定メッセージに追加され、該指定メッセージは基地局に送信されることがわかる。したがって、ＡＣ規制確認の精度が改善される。
【０１１８】
いくつかの実施形態では、図１６に示される装置に基づいて、指定メッセージは、ＲＡＮページングによってトリガされる再開プロセス中のＲＲＣメッセージ、又は端末がＲＡＮページングによってトリガされて接続状態に入るときの、端末からのアップリンク・メッセージである。
【０１１９】
いくつかの実施形態では、図１１に示される装置に基づいて、図１７に示されるように、第２のＡＣ規制サブモジュール１１２は以下を備え得る。
ＮＡＳトリガ・イベントに対してＡＣ規制確認を実行することによって、ＡＣ規制確認結果を取得するよう構成される、確認結果判断サブモジュール１７１、
ＡＣ規制確認結果が承認を示し、端末が接続状態に入るのを検出したことに応答して、ＲＡＮページングに対してＡＣ規制確認を実行することなく、ＲＡＮページングによってトリガされるデータ送信を接続状態で実行するよう構成される、第５の処理サブモジュール１７２、
ＡＣ規制確認結果が拒否を示したことに応答して、ＲＡＮページングに対してＡＣ規制確認を実行するよう構成される第６の処理サブモジュール１７３であって、ＲＡＮページングによってトリガされる再開プロセス中のＲＲＣメッセージは、ＮＡＳメッセージを伝送できないように構成される、第６の処理サブモジュール１７３。
【０１２０】
上記の実施形態から、同時イベントが順に処理される場合、ＡＣ規制確認結果は、ＮＡＳトリガ・イベントに対するＡＣ規制確認の実行によって得ることができ、ＡＣ規制確認結果が承認を示し、端末が接続状態に入るのを検出したことに応答して、ＲＡＮページングに対してＡＣ規制確認を実行することなく、ＲＡＮページングによってトリガされるデータ送信が接続状態で実行され、また、ＡＣ規制確認結果が拒否を示したことに応答して、ＡＣ規制確認がＲＡＮページングに対して実行され、ＲＡＮページングによってトリガされる再開プロセス中のＲＲＣメッセージを使用して、ＮＡＳメッセージを伝送できないことがわかる。したがって、ＡＣ規制の効率と柔軟性との両方が改善される。
【０１２１】
いくつかの実施形態では、図１１に示される装置に基づいて、図１８に示されるように、第３のＡＣ規制サブモジュール１１３は以下を備え得る。
ＲＡＮページングに対してＡＣ規制確認を実行することなく、ＲＡＮページングによってトリガされる再開プロセスを実行するよう構成される第７の処理サブモジュール１８１であって、再開プロセス中のＲＲＣメッセージは、ＮＡＳメッセージを伝送できるよう構成される、第７の処理サブモジュール１８１。
【０１２２】
上記の実施形態から、ＲＡＮページングに対してだけＡＣ規制確認を実行するが、ＮＡＳトリガ・イベントに対して実行しない場合、ＲＡＮページングによってトリガされる再開プロセスは、再開プロセス中のＲＲＣメッセージがＮＡＳメッセージを伝送できる状態で、実行され得ることがわかる。したがって、同時イベントのうちの一方だけが処理され、ＡＣ規制確認の効率が改善される。
【０１２３】
いくつかの実施形態では、図１１に示される装置に基づいて、図１９に示されるように、第４のＡＣ規制サブモジュール１１４は以下を備え得る。
ＮＡＳトリガ・イベントがＡＣ規制確認を受け、ＲＡＮページングによってトリガされる再開プロセスが実行されないことに応答して、ネットワークによって開始された解放又はやはりネットワークによって開始された他のＲＡＮページングに応答するよう構成される、第８の処理サブモジュール１９１。
【０１２４】
上記の実施形態から、ＮＡＳトリガ・イベントに対してしかＡＣ規制確認を実行せず、ＲＡＮページングに対して実行しない場合、ＡＣ規制確認がＮＡＳトリガ・イベントに対して実行された後で、且つＲＡＮページングによってトリガされる再開プロセスが実行されないと、ネットワークによって開始された解放に応答するか、又はやはりネットワークによって開始されたＲＡＮページングに応答することがわかる。したがって、同時イベントのうちの一方だけが処理され、ＡＣ規制確認の効率が改善される。
【０１２５】
いくつかの実施形態では、図１０に示される装置に基づいて、ＡＳトリガ・イベントはＲＡＮページングであり、ＮＡＳトリガ・イベントはＣＮページングである。図２０に示されるように、ＡＣ規制モジュール１０２は、以下を備え得る。
ＣＮページングに対してだけＡＣ規制を実行するよう構成される、第５のＡＣ規制サブモジュール２０１。
【０１２６】
上記の実施形態から、ＡＳトリガ・イベントがＲＡＮページングであり、ＮＡＳトリガ・イベントがＣＮページングである場合、ＡＣ規制は、ＣＮページングに対してのみ実行され得ることがわかる。したがって、ＡＣ規制の精度と効率との両方が改善される。
【０１２７】
装置の実施形態は、方法の実施形態に実質的に対応するので、関連する部分に関して、方法の実施形態の説明の一部を参照できる。上記の装置の実施形態は、単に例示的であり、ここで別個の部材として説明されているユニットは、物理的に分離されていてもいなくてもよく、ユニットとして表示された部材は、物理的なユニットであってもなくてもよい。すなわち、１箇所に配置されていてもよく、又は多数のネットワーク・ユニットに分散されていてもよい。モジュールの一部又はすべては、本開示の解決策の諸目的を実現するための、実際の要件にしたがって選択され得る。当業者は、創造的な作業なしで解決策を理解し、実行できる。
【０１２８】
本開示はまた、コンピュータ・プログラムを格納する非一時的コンピュータ可読記憶媒体も提供し、コンピュータ・プログラムは、図１から図９のいずれかにしたがって説明されたＡＣ規制方法を実行するよう構成される。
【０１２９】
本開示はまた、ＡＣ規制装置も提供し、該装置は、端末に適用可能であり、以下を備える。
プロセッサ、
プロセッサによる実行可能命令を格納するためのメモリ。
プロセッサは、以下のように構成される。
ＮＡＳトリガ・イベント及びＡＳトリガ・イベントのうち少なくとも一方を検出し、
ＮＡＳトリガ・イベント及びＡＳトリガ・イベントのうち少なくとも一方に対して、ＡＣ規制確認を実行する。
【０１３０】
図２１は、本開示のいくつかの実施形態による、ＡＣ規制装置を示す構造概略図である。図２１に示されるように、ＡＣ規制装置２１００がいくつかの実施形態にしたがって示され、装置２１００は、コンピュータ、携帯電話、デジタル放送端末、メッセージ送受信デバイス、ゲーム機、タブレット・デバイス、医用デバイス、フィットネス・デバイス、携帯情報端末などであり得る。
【０１３１】
図２１を参照すると、デバイス２１００は、１つ又は複数の以下の構成要素を備え得る。処理構成要素２１０１、メモリ２１０２、電力構成要素２１０３、マルチメディア構成要素２１０４、音声構成要素２１０５、入出力（Ｉ／Ｏ：ｉｎｐｕｔ／ｏｕｔｐｕｔ）インタフェース２１０６、センサ構成要素２１０７、及び通信構成要素２１０８。
【０１３２】
処理構成要素２１０１は、典型的には、表示、通話、データ通信、カメラ動作、及び記録動作に関連する動作など、デバイス２１００の全体的な動作を制御する。処理構成要素２１０１は、上述のステップの全部又は一部を実施するための命令を実行する、１つ又は複数のプロセッサ２１０９を備え得る。さらに、処理構成要素２１０１は、構成要素２１０１と他の構成要素との間の相互作用を容易にする、１つ又は複数のモジュールを備え得る。たとえば、処理構成要素２１０１は、マルチメディア構成要素２１０４と処理構成要素２１０１との間の相互作用を容易にする、マルチメディア・モジュールを備え得る。
【０１３３】
メモリ２１０２は、デバイス２１００の動作を補助するために、様々な種類のデータを格納するよう構成される。かかるデータの例には、デバイス２１００で動作する任意のアプリケーション又は方法に関する命令、連絡先データ、電話帳データ、メッセージ、写真、ビデオなどが含まれる。メモリ２１０２は、静的ランダム・アクセス・メモリ（ＳＲＡＭ：ｓｔａｔｉｃ  ｒａｎｄｏｍ  ａｃｃｅｓｓ  ｍｅｍｏｒｙ）、電気的に消去可能なプログラマブル読取専用メモリ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、消去可能なプログラマブル読取専用メモリ（ＥＰＲＯＭ：ｅｒａｓａｂｌｅ  ｐｒｏｇｒａｍｍａｂｌｅ  Ｒｅａｄ  Ｏｎｌｙ  Ｍｅｍｏｒｙ）、プログラマブル読取専用メモリ（ＰＲＯＭ：ｐｒｏｇｒａｍｍａｂｌｅ  Ｒｅａｄ  Ｏｎｌｙ  Ｍｅｍｏｒｙ）、読取専用メモリ（ＲＯＭ：Ｒｅａｄ  Ｏｎｌｙ  Ｍｅｍｏｒｙ）、磁気メモリ、フラッシュ・メモリ、ディスク若しくは光ディスクなどの、任意の種類の揮発性若しくは不揮発性記憶デバイス、又はそれらの組合せによって、実装され得る。
【０１３４】
電力構成要素２１０３は、デバイス２１００の様々な部品に電力を供給する。電力構成要素２１０３は、電力管理システム、１つ又は複数の電源、及びデバイス２１００への電力の生成、管理、及び分配に関連する他の構成要素を備え得る。
【０１３５】
マルチメディア構成要素２１０４には、出力インタフェースを提供する、デバイス２１００とユーザとの間にある画面が含まれる。いくつかの例では、画面には、液晶ディスプレイ（ＬＣＤ：ｌｉｑｕｉｄ  ｃｒｙｓｔａｌ  ｄｉｓｐｌａｙ）及びタッチ・パネル（ＴＰ：ｔｏｕｃｈ  ｐａｎｅｌ）が含まれ得る。画面がタッチ・パネルを含む場合、画面は、タッチ・スクリーンとして実現され、ユーザからの入力信号を受信し得る。タッチ・パネルは、タッチ・パネル上でタッチ、スワイプ、及びジェスチャを検知する、１つ又は複数のタッチ・センサを備える。タッチ・センサは、タッチ又はスライド動作の範囲を検知できるだけでなく、タッチ又はスライド動作に伴う持続時間及び圧力も検知できる。いくつかの実施形態では、マルチメディア構成要素２１０４は、前面カメラ及び／又は背面カメラを備える。デバイス２１００が撮影モード又はビデオ・モードなどの動作モードにあるとき、前面カメラ及び／又は背面カメラは、外部のマルチメディア・データを受信できる。前面カメラ及び背面カメラはそれぞれ、固定光学レンズ・システムであってもよく、又は焦点距離及び光学ズーム機能を有していてもよい。
【０１３６】
音声構成要素２１０５は、音声信号を出力及び／又は入力するよう構成される。たとえば、音声構成要素２１０５は、デバイス２１００が通話モード、録音モード、及び音声認識モードなどの動作モードにあるとき、外部音声信号を受信するよう構成されるマイク（ＭＩＣ：ｍｉｃｒｏｐｈｏｎｅ）を備える。受信された音声信号は、メモリ２１０２にさらに格納されてもよく、又は通信構成要素２１０８によって送信されてもよい。いくつかの例では、音声構成要素２１０５は、音声信号を出力するためのスピーカも備える。
【０１３７】
Ｉ／Ｏインタフェース２１０６は、処理構成要素２１０１と周辺インタフェース・モジュールとの間のインタフェースを提供し得る。周辺インタフェース・モジュールには、キーボード、クリック・ホイール、釦などが含まれ得る。こうした釦には、ホーム釦、音量釦、開始釦、及びロック釦が含まれ得るが、これらに限定されるものではない。
【０１３８】
センサ構成要素２１０７は、デバイス２１００の、様々な態様の状態評価を可能にする、１つ又は複数のセンサを備える。たとえば、センサ構成要素２１０７は、デバイス２１００の開閉状態、デバイス２１００のディスプレイ及びキーパッドなどの構成要素の相対位置を検出でき、センサ構成要素２１０７はまた、デバイス２１００又はデバイス２１００の構成要素の位置の変化、ユーザのデバイス２１００との接触の有無、デバイス２１００の向き又は加速／減速、及びデバイス２１００の温度変化も検出できる。センサ構成要素２１０７は、どんな物理的接触もなしに、近くの物体の存在を検出するよう構成される近接センサを備え得る。センサ構成要素２１０７は、撮像用途に使用するＣＭＯＳ又はＣＣＤ画像センサなどの光センサも備え得る。いくつかの例では、センサ構成要素２１０７は、加速度計センサ、ジャイロ・センサ、磁気センサ、圧力センサ、又は温度センサも備え得る。
【０１３９】
通信構成要素２１０８は、装置２１００と他のデバイスとの間の有線又は無線通信を容易にし得る。デバイス２１００は、ＷｉＦｉ、２Ｇ、若しくは３Ｇ、又はその組合せなどの通信規格に基づいて、無線ネットワークにアクセスできる。例示的な例では、通信構成要素２１０８は、放送チャネルを通じて、外部の放送管理システムから放送信号又は放送関連情報を受信する。例示的な例では、通信構成要素２１０８はまた、容易に短距離通信を行うために、近距離通信（ＮＦＣ：ｎｅａｒ  ｆｉｅｌｄ  ｃｏｍｍｕｎｉｃａｔｉｏｎ）モジュールも備える。たとえば、ＮＦＣモジュールは、無線周波数識別（ＲＦＩＤ：ｒａｄｉｏ  ｆｒｅｑｕｅｎｃｙ  ｉｄｅｎｔｉｆｉｃａｔｉｏｎ）技術、赤外線データ協会（ＩｒＤＡ：ｉｎｆｒａｒｅｄ  ｄａｔａ  ａｓｓｏｃｉａｔｉｏｎ）技術、超広帯域（ＵＷＢ：ｕｌｔｒａ−ｗｉｄｅｂａｎｄ）技術、ブルートゥース（登録商標）（ＢＴ：Ｂｌｕｅｔｏｏｔｈ）技術、及び他の技術に基づいて実現され得る。
【０１４０】
一例では、装置２１００は、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブル論理デバイス（ＰＬＤ：ｐｒｏｇｒａｍｍａｂｌｅ  Ｌｏｇｉｃ  Ｄｅｖｉｃｅ）、フィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙ）、コントローラ、マイクロコントローラ、マイクロプロセッサ、又は上記の方法を実行するための他の電子構成要素で実現され得る。
【０１４１】
例示的な例では、上記及び以下の方法を実行するために、デバイス２１００のプロセッサ２１０９によって実行可能な命令を有するメモリ２１０２などの、命令を有する非一時的コンピュータ可読記憶媒体も提供される。非一時的コンピュータ可読記憶媒体は、たとえば、ＲＯＭ、ランダム・アクセス・メモリ（ＲＡＭ：ｒａｎｄｏｍ  ａｃｃｅｓｓ  ｍｅｍｏｒｙ）、ＣＤ−ＲＯＭ、磁気テープ、フロッピ・ディスク、及び光データ記憶デバイスであり得る。
【０１４２】
記憶媒体内の命令がプロセッサによって実行されると、装置２１００は、本開示のＡＣ規制方法のいずれかを実行できる。
図２２は、本開示のいくつかの実施形態による、ＡＣ規制方法を示すフローチャートである。ＡＣ規制方法は、端末に適用可能である。図１に示されるように、ＡＣ規制方法は、以下のステップ２０１０〜２０２０を含み得る。
ステップ２０１０において、ＮＡＳトリガ・イベント及びＡＳトリガ・イベントのうちの少なくとも一方が検出される。
ステップ２０２０において、ＡＣ規制確認は、ＮＡＳトリガ・イベント及びＡＳトリガ・イベントのうちの少なくとも一方に対して実行される。
【０１４３】
いくつかの実施形態では、ＡＳトリガ・イベントはＲＡＮページングである。
いくつかの実施形態では、ステップ２２２０は、以下のうちの少なくとも１つを含む。
ＮＡＳトリガ・イベント及びＲＡＮページングの両方に対して、ＡＣ規制確認を実行するステップ、
ＡＣ規制がＮＡＳトリガ・イベントに対して実行され、端末が接続状態に入ることを検出するのに応答して、ＲＡＮページングに対してＡＣ規制確認を実行するステップ、
ＲＡＮページングに対してのみＡＣ規制確認を実行するステップ、並びに
ＮＡＳトリガ・イベントに対してのみＡＣ規制確認を実行するステップ。
【０１４４】
いくつかの実施形態では、ＲＡＮページングに対してのみＡＣ規制確認を実行するステップは、以下を含む。
ＲＡＮページングによってトリガされる再開プロセスの実行を可能にするステップ。
いくつかの実施形態では、ＲＡＮページングに対してのみＡＣ規制確認を実行する場合、再開プロセス中のＲＲＣメッセージは、ＮＡＳメッセージを伝送できるよう設定される。
いくつかの実施形態では、ＮＡＳトリガ・イベントはＣＮページングであり、ＮＡＳトリガ・イベント及びＡＳトリガ・イベントのうちの少なくとも一方に対してＡＣ規制確認を実行するステップは、以下を含む。
ＣＮページングに対してのみＡＣ規制確認を実行するステップ。
【０１４５】
本開示の様々な実施形態は、以下の利点のうちの１つ又は複数を提供できる。
本開示のいくつかの実施形態によれば、端末が、端末内でＮＡＳ及びＡＳによって同時にトリガされるイベントを検出すると、端末は、ＮＡＳトリガ・イベント及び／又はＡＳトリガ・イベントに対してＡＣ規制を実行し、それにより、同時イベントに対するＡＣ規制を実施し、ＡＣ規制の適用範囲を広げることができる。
【０１４６】
様々なデバイスの構成要素、回路、ユニット、ブロック、又は一部は、モジュール構成を有するか、又は個別の構成要素からなる場合があるが、それでも一般に「モジュール」、「構成要素」、又は「回路」と呼ぶことができる。言い換えれば、本明細書で言及される「構成要素」、「モジュール」、「ブロック」、「回路」、「一部」、又は「ユニット」は、モジュラの形態であってもなくてもよく、これらのフレーズは交換可能に使用され得る。
本開示において、用語「設置される」、「接続される」、「結合される」、「固定される」などは、広く理解されるものとし、特に明確に定義されない限り、固定接続若しくは着脱可能な接続のいずれか、又は統合されたものであり得る。これらの用語は、機械的接続若しくは電気的接続、又はその両方を指す場合がある。かかる接続は、直接接続又は中間媒体を介した間接接続であり得る。これらの用語は、要素間の内部接続又は相互作用を指す場合もある。本開示における上記の用語の特定の意味は、ケースバイケースで、当業者に理解され得る。
【０１４７】
本開示の説明において、用語「１つの実施形態」、「いくつかの実施形態」、「例」、「特定の例」、又は「いくつかの例」などは、実施形態若しくは例、少なくとも１つの実施形態若しくは例に含まれる構造、材料、又は特徴と共に説明される、具体的な特徴を示すことができる。本開示において、上記の用語の概略的な表現は、必ずしも同じ実施形態又は例を参照しているわけではない。
【０１４８】
さらに、記載された特定の特徴、構造、材料、又は特性は、どの１つ又は複数の実施形態又は例においても、好適な方法で組み合わされ得る。加えて、本明細書に記載されている様々な実施形態又は例ばかりでなく、様々な実施形態又は例の特徴も、組み合わされて再構成され得る。
【０１４９】
いくつかの実施形態では、制御及び／又はインタフェース・ソフトウェア若しくはアプリは、そこに格納された命令を有する非一時的コンピュータ可読記憶媒体の形態で提供され得る。たとえば、非一時的コンピュータ可読記憶媒体は、ＲＯＭ、ＣＤ−ＲＯＭ、磁気テープ、フロッピ・ディスク、光データ記憶機器、ＵＳＢドライブ又はＳＤカードなどのフラッシュ・ドライブなどであり得る。
【０１５０】
この開示で説明される主題及び動作の実施態様は、デジタル電子回路で、本明細書で開示される構造体及びその構造的同等物を含む、コンピュータ・ソフトウェア、ファームウェア、若しくはハードウェアで、又はその１つ若しくは複数の組合せで、実施され得る。この開示で説明される主題の実施態様は、１つ又は複数のコンピュータ・プログラムとして、すなわち、データ処理装置によって実行するための、又はデータ処理装置の動作を制御するための、１つ又は複数のコンピュータ記憶媒体上の符号化されたコンピュータ・プログラム命令の一部又は複数の部分として、実施され得る。
【０１５１】
別法として、又は加えて、プログラム命令は、人工的に生成された伝搬信号、たとえば、機械によって生成された電気、光、又は電磁信号上で符号化でき、該信号は、データ処理装置で実行するように、好適な受信装置に送信するために、生成され、情報を符号化する。コンピュータ記憶媒体は、コンピュータ可読記憶デバイス、コンピュータ可読記憶基板、ランダム若しくはシリアル・アクセス・メモリ・アレイ若しくはデバイス、又はその１つ若しくは複数の組合せであり得るか、或いはそれらに備えられ得る。
【０１５２】
さらに、コンピュータ記憶媒体は伝搬信号ではないが、コンピュータ記憶媒体は、人工的に生成された伝搬信号内の符号化されたコンピュータ・プログラム命令の、送信元又は送信先であり得る。コンピュータ記憶媒体はまた、１つ若しくは複数の別個の構成要素若しくは媒体（たとえば、複数のＣＤ、ディスク、ドライブ、若しくは他の記憶デバイス）であり得るか、又はそれらに備えられ得る。したがって、コンピュータ記憶媒体は有形であり得る。
【０１５３】
この開示で説明される動作は、１つ若しくは複数のコンピュータ可読記憶デバイスに格納されるか、又は他の送信元から受信したデータに基づいて、データ処理装置によって実行される動作として実施され得る。
この開示でのデバイスは、ＦＰＧＡ（フィールド・プログラマブル・ゲート・アレイ）、又はＡＳＩＣ（特定用途向け集積回路）などの、専用論理回路を含み得る。デバイスには、ハードウェアに加えて、当該のコンピュータ・プログラムの実行環境を生成するコード、たとえば、プロセッサ・ファームウェア、プロトコル・スタック、データベース管理システム、オペレーティング・システム、クロスプラットフォーム・ランタイム環境、仮想マシン、又はその１つ若しくは複数の組合せを構成するコードも含まれ得る。デバイス及び実行環境は、ｗｅｂサービス、分散コンピュータ処理、グリッド・コンピュータ処理基盤など、様々な相異なるコンピュータ処理モデル基盤を実現できる。
【０１５４】
コンピュータ・プログラム（プログラム、ソフトウェア、ソフトウェア・アプリケーション、アプリ、スクリプト、又はコードとしても知られる）は、コンパイルされた又はインタプリタで翻訳された言語、宣言型又は手続き型言語を含む、あらゆる形式のプログラミング言語で記述でき、独立型プログラムとして、又は一部分、構成要素、サブルーチン、オブジェクト、若しくはコンピュータ処理環境での使用に好適な他の一部分として含む、任意の形式で展開できる。コンピュータ・プログラムは、ファイル・システム内のファイルに対応できるが、対応する必要があるわけではない。プログラムは、他のプログラム又はデータを保持するファイルの一部分（たとえば、マークアップ言語の文書内に格納された１つ又は複数のスクリプト）、当該のプログラム専用の単一ファイル、或いは調和して動作する複数のファイル（たとえば、１つ若しくは複数の部分、サブプログラム、又はコードの一部を格納するファイル群）に格納され得る。コンピュータ・プログラムは、１台のコンピュータ上、又は１箇所のサイトに位置するか、若しくは複数のサイトにわたって分散され、通信ネットワークで相互接続されている複数のコンピュータ上で、実行されるよう展開され得る。
【０１５５】
この開示で説明されるプロセス及び論理フローは、１つ又は複数のコンピュータ・プログラムを実行する１つ又は複数のプログラマブル・プロセッサで実行され、入力データに基づいて動作し、出力を生成することによって、アクションを実行できる。プロセス及び論理フローは、専用論理回路、たとえば、ＦＰＧＡ又はＡＳＩＣによって実行することもでき、装置は、専用論理回路としても実装され得る。
【０１５６】
コンピュータ・プログラムの実行に好適なプロセッサ又は処理回路には、例として、汎用マイクロプロセッサ及び専用マイクロプロセッサの両方、並びに任意の種類のデジタル・コンピュータの任意の１つ又は複数のプロセッサが含まれる。一般に、プロセッサは、読取専用メモリ、ランダム・アクセス・メモリ、又はその両方から命令及びデータを受信することになる。コンピュータの要素には、命令にしたがってアクションを実行するよう構成されるプロセッサ、並びに命令及びデータを格納する１つ又は複数のメモリ・デバイスが含まれ得る。
【０１５７】
一般に、コンピュータはまた、データを格納するための１つ若しくは複数の大容量記憶デバイス、たとえば、磁気ディスク、光磁気ディスク、若しくは光ディスクを備えるか、又は該記憶デバイスからデータを受信するか、該記憶デバイスにデータを転送するか、若しくはその両方を行うよう、動作可能に結合されることになる。しかし、コンピュータは、かるデバイスが必要なわけではない。さらに、コンピュータは、別のデバイス、たとえば、ほんの数例を挙げると、携帯電話、携帯情報端末（ＰＤＡ：ｐｅｒｓｏｎａｌ  ｄｉｇｉｔａｌ  ａｓｓｉｓｔａｎｔ）、携帯オーディオ若しくはビデオ・プレーヤ、ゲーム機、全地球測位システム（ＧＰＳ：Ｇｌｏｂａｌ  Ｐｏｓｉｔｉｏｎｉｎｇ  Ｓｙｓｔｅｍ）受信機、又はポータブル記憶デバイス（たとえば、ユニバーサル・シリアル・バス（ＵＳＢ：ｕｎｉｖｅｒｓａｌ  ｓｅｒｉａｌ  ｂｕｓ）フラッシュ・ドライブ）に、組み込まれ得る。
【０１５８】
コンピュータ・プログラムの命令及びデータを格納するのに好適なデバイスには、例として、半導体メモリ・デバイス、たとえば、ＥＰＲＯＭ、ＥＥＰＲＯＭ、及びフラッシュ・メモリ・デバイス、磁気ディスク、たとえば、内蔵ハードディスク又は取外し可能なディスク、光磁気ディスク、並びにＣＤ−ＲＯＭ及びＤＶＤ−ＲＯＭディスクを含む、すべての形態の不揮発性メモリ、媒体、及びメモリ・デバイスが含まれる。プロセッサ及びメモリは、専用論理回路によって補完できるか、又は専用論理回路内に組み込むことができる。
【０１５９】
この明細書で説明される主題の実施態様は、ユーザとの相互作用を可能にするために、コンピュータ及び／又は表示デバイス、たとえば、ＶＲ／ＡＲデバイス、ヘッドマウント・ディスプレイ（ＨＭＤ：ｈｅａｄ−ｍｏｕｎｔ  ｄｉｓｐｌａｙ）デバイス、ヘッドアップ・ディスプレイ（ＨＵＤ：ｈｅａｄ−ｕｐ  ｄｉｓｐｌａｙ）デバイス、スマート・アイウェア（たとえば眼鏡）、ＣＲＴ（陰極線管：ｃａｔｈｏｄｅ−ｒａｙ  ｔｕｂｅ）、ＬＣＤ（液晶ディスプレイ）、ＯＬＥＤ（有機発光ダイオード：ｏｒｇａｎｉｃ  ｌｉｇｈｔ  ｅｍｉｔｔｉｎｇ  ｄｉｏｄｅ）、又はユーザに情報を表示する他の任意のモニタ、及びそれを使ってユーザがコンピュータに入力を与えることができる、キーボード、ポインティング・デバイス、たとえばマウス、トラックボールなど、又はタッチ画面、タッチ・パッドなどを用いて、実施され得る。
【０１６０】
この明細書で説明される主題の実施態様は、たとえばデータ・サーバのような、バックエンド構成要素を含むか、たとえばアプリケーション・サーバのような、ミドルウェア構成要素を含むか、たとえば、それを通してユーザがこの明細書で説明される主題の実施態様と相互作用できる、グラフィカル・ユーザ・インタフェース若しくはＷｅｂブラウザを有するクライアント・コンピュータのような、フロントエンド構成要素を含むか、又は１つ若しくは複数のかかるバックエンド、ミドルウェア、若しくはフロントエンド構成要素の任意の組合せを含む、コンピュータ処理システム内で実施され得る。
【０１６１】
システムの構成要素は、デジタル・データ通信の任意の形態又は媒体、たとえば通信ネットワークによって、相互接続できる。通信ネットワークの例には、構内ネットワーク（「ＬＡＮ：ｌｏｃａｌ  ａｒｅａ  ｎｅｔｗｏｒｋ」）及び広域ネットワーク（「ＷＡＮ：ｗｉｄｅ  ａｒｅａ  ｎｅｔｗｏｒｋ」）、相互接続ネットワーク（たとえば、インターネット）、並びにピアツーピア・ネットワーク（たとえばアド・ホック・ピアツーピア・ネットワーク）が含まれる。
【０１６２】
この明細書には多くの特定の実施態様の詳細が含まれているが、これらはどの請求の範囲をも制限するものとしてではなく、むしろ特定の実施態様に特有の特徴を説明するものとして解釈されるべきである。この明細書において別々の実施態様に関連して説明されている特定の特徴は、単一の実施態様において組み合わせて実施することもできる。逆に、単一の実施態様に関連して説明されている様々な特徴は、別々に又は任意の好適な部分的組合せで、複数の実施態様で実施することもできる。
【０１６３】
さらに、特徴は、上記で特定の組合せで作用するものとして説明され、最初はそのように請求すらされている場合があるが、請求される組合せによる１つ又は複数の特徴は、場合によってはその組合せから切り取られる場合があり、また請求される組合せは、部分的組合せ又は部分的組合せの変形形態を対象とする場合がある。
【０１６４】
同様に、動作は特定の順序で図面に描かれているが、これは、所望の結果を実現させるために、かかる動作が示された特定の順序又は順番に実行されること、又は示されたすべての動作が実行されることを要求するものと理解されるべきではない。特定の状況では、マルチタスク及び並列処理が有利な場合がある。さらに、上記の実施態様における様々なシステム構成要素の分離は、すべての実施態様においてかかる分離を必要とするものと理解されるべきではなく、説明されたプログラム構成要素及びシステムは、全体的に、単一のソフトウェア製品に一体に統合されるか、又は複数のソフトウェア製品にパッケージ化され得ることを理解されたい。
【０１６５】
そういうものとして、主題の特定の実施態様が説明されてきた。他の実施態様は、以下の請求の範囲内にある。場合によっては、請求の範囲で列挙されたアクションは、異なる順序で実行され、それでもなお所望の結果を実現させ得る。加えて、添付の図に描かれているプロセスは、所望の結果を実現させるのに、示されている特定の順序又は順番であることを必ずしも必要としない。特定の実施態様では、マルチタスク又は並列処理を利用できる。
【０１６６】
明細書及び実施形態は、例としてのみ考慮されることが意図されている。本開示の他の実施形態は、本開示の明細書及び図面を考慮すると、当業者には明らかであろう。すなわち、特定の実施形態が上記で詳細に説明されてきたが、説明は単に例示目的である。したがって、上記の多くの態様は、特に明記されていない限り、必要な又は不可欠の要素として意図されていないことを理解されたい。
【０１６７】
上記の開示された態様に加えて、例示的な実施形態の開示された態様の様々な修正形態、及び開示された態様に相当する同等物の作用は、本開示の利益を有する当業者によって、以下の請求の範囲で定義される本開示の精神及び範囲から逸脱することなく、作り出され得る。請求の範囲は、かかる修正形態及び同等物の構造を包含するように、最も広い解釈を与えられるべきである。
【０１６８】
本明細書で言及される「複数の（ａ  ｐｌｕｒａｌｉｔｙ）」又は「複数の（ｍｕｌｔｉｐｌｅ）」は、２つ以上を意味することを理解されたい。関連づけられた対象物の関連する関係を説明する「及び／又は」は、３種類の関係があり得ることを示し、たとえば、Ａ及び／又はＢは、Ａが別個に存在する、Ａ及びＢが同時に存在する、並びにＢが別個に存在する、の３種類のケースがあることを示し得る。文字「／」は、全般的に、文脈上の対象物が「又は」の関係にあることを示す。
【０１６９】
本開示では、用語「ｌｏｗｅｒ」、「ｕｐｐｅｒ」、「ｕｎｄｅｒ」、「ｂｅｎｅａｔｈ」、若しくは「ｕｎｄｅｒｎｅａｔｈ」、「ａｂｏｖｅ」、「ｆｒｏｎｔ」、「ｂａｃｋ」、「ｌｅｆｔ」、「ｒｉｇｈｔ」、「ｔｏｐ」、「ｂｏｔｔｏｍ」、「ｉｎｎｅｒ」、「ｏｕｔｅｒ」、「ｈｏｒｉｚｏｎｔａｌ」、「ｖｅｒｔｉｃａｌ」、及び他の向き又は位置関係は、図面に示されている例示的な向きに基づいており、単にいくつかの実施形態の説明での便宜上のものであり、特定の向きで構成され動作するデバイス又は構成要素を示すか又は含意するものではないことを理解されたい。したがって、これらの用語は、本開示の範囲を限定するものとして解釈されるべきではない。
【０１７０】
本開示において、第２の要素に「ｏｎ」している第１の要素は、特に明記及び定義されない限り、第１の要素と第２の要素との間の直接接触、非接触、又は１つ若しくは複数の中間媒体若しくは層を介した間接的な幾何学的関係を示し得る。同様に、第２の要素の「ｕｎｄｅｒ」、「ｕｎｄｅｒｎｅａｔｈ」、又は「ｂｅｎｅａｔｈ」にある第１の要素は、特に明記及び定義されない限り、第１の要素と第２の要素との間の直接接触、非接触、又は１つ若しくは複数の中間媒体若しくは層を介した間接的な幾何学的関係を示し得る。
【０１７１】
本開示の他のいくつかの実施形態は、本明細書に開示される様々な実施形態の仕様及び実施を検討すれば、当業者には利用可能であり得る。本出願は、本開示の全体的な原理に従った本開示の任意の変形形態、使用法、又は適合形態を包含することが意図され、本開示から逸脱することなく、当技術分野における共通した一般的知識又は従来の技術的手段を含む。明細書及び例は、例示としてのみ示され得る。本開示の真の範囲及び精神は、以下の請求の範囲によって示される。
【０１７２】
この開示は、図面に示される上記の構造に限定されず、本開示の範囲から逸脱することなく、本開示に対して様々な変更及び修正が行われ得ることを理解されたい。本開示の範囲は、添付の請求の範囲によってのみ制限されるべきである。
【手続補正３】
【補正対象書類名】図面
【補正対象項目名】図１１
【補正方法】変更
【補正の内容】
【図１１】
2021525486.tif 000024
【手続補正４】
【補正対象書類名】図面
【補正対象項目名】図２２
【補正方法】追加
【補正の内容】
【図２２】
2021525486.tif 000025
【手続補正書】
【提出日】令和3年1月25日(2021.1.25)
【手続補正１】
【補正対象書類名】明細書
【補正対象項目名】０１４３
【補正方法】変更
【補正の内容】
【０１４３】
いくつかの実施形態では、ＡＳトリガ・イベントはＲＡＮページングである。
いくつかの実施形態では、ステップ２０２０は、以下のうちの少なくとも１つを含む。
ＮＡＳトリガ・イベント及びＲＡＮページングの両方に対して、ＡＣ規制確認を実行するステップ、
ＡＣ規制がＮＡＳトリガ・イベントに対して実行され、端末が接続状態に入ることを検出するのに応答して、ＲＡＮページングに対してＡＣ規制確認を実行するステップ、
ＲＡＮページングに対してのみＡＣ規制確認を実行するステップ、並びに
ＮＡＳトリガ・イベントに対してのみＡＣ規制確認を実行するステップ。
【国際調査報告】
2021525486.tif 000026
2021525486.tif 000027
2021525486.tif 000028
2021525486.tif 000029